(57)【要約】  情報記録媒体（１００）は、レーザ光を照射して記録情報を記録するための記録エリア（１０６）と、前記記録エリア内の記録位置に応じてレーザパワーを制御するための制御情報（１０３）を記録するための記録制御エリアとを備える。
2005034108.tif 000002
【特許請求の範囲】
【請求項１】
レーザ光を照射して記録情報を記録するための記録エリアと、
前記記録エリア内の記録位置に応じてレーザパワーを制御するための制御情報を記録するための記録制御エリアと
を備えることを特徴とする情報記録媒体。
【請求項２】
前記制御情報は、前記記録エリア内の記録位置を示す情報と、当該記録位置における記録感度を表す情報とを対応付けたものであることを特徴とする請求の範囲第１項に記載の情報記録媒体。
【請求項３】
前記制御情報は、前記記録エリア内の記録位置を示す情報と、当該記録位置における最適レーザパワーを表す情報とを対応付けたものであることを特徴とする請求の範囲第１項に記載の情報記録媒体。
【請求項４】
前記制御情報は、前記記録エリア内の記録位置と、当該記録位置における最適レーザパワーとの相関関係を示すものであることを特徴とする請求の範囲第１項に記載の情報記録媒体。
【請求項５】
請求の範囲第１項に記載の情報記録媒体にレーザ光を照射して記録情報を記録する記録手段と、
前記情報記録媒体の前記記録制御エリアに記録される前記制御情報に基づいて、レーザパワーを最適化する最適化手段と、
を備えることを特徴とする情報記録装置。
【請求項６】
前記最適化手段は、前記記録制御エリアに記録される前記制御情報に基づいて、前記制御情報が存在しない記録位置における制御情報を概算することを特徴とする請求の範囲第５項に記載の情報記録装置。
【請求項７】
情報記録媒体にレーザ光を照射し、当該情報記録媒体に記録情報を記録する第１記録手段と、
前記情報記録媒体の記録位置に応じた最適レーザパワーを求め、記録位置を表す情報と前記最適レーザパワーを表す情報とを対応付けた制御情報を作成する制御情報作成手段と、
前記制御情報作成手段により作成される前記制御情報を記録する第２記録手段とを備え、
前記第２記録手段により記録される制御情報に基づいて、前記情報記録媒体に照射されるレーザ光のレーザパワーを制御する制御手段を有することを特徴とする情報記録装置。
【請求項８】
前記第２記録手段は、前記制御情報作成手段が作成した前記制御情報を、前記情報記録媒体に記録することを特徴とする請求の範囲第７項に記載の情報記録装置。
【請求項９】
前記制御情報作成手段は、ランニングＯＰＣ（Optimum Power Calibration）を行って得られるレーザパワーの較正値に基づいて前記制御情報を作成することを特徴とする請求の範囲第７項に記載の情報記録装置。
【請求項１０】
前記制御情報作成手段は、前記情報記録媒体の所定領域ごとに対応した前記制御情報を作成することを特徴とする請求の範囲第７項に記載の情報記録装置。
【請求項１１】
前記制御情報作成手段は、前記情報記録媒体の記録線速度に対応した前記制御情報を作成することを特徴とする請求の範囲第７項に記載の情報記録装置。
【請求項１２】
前記情報記録媒体は複数の記録層を備えており、
前記制御手段は、前記記録手段が情報記録を行う対象が、前記複数の記録層のうち一の記録層から他の記録層へ切り替わる場合において、当該一の記録層において求められた前記制御情報に基づき、当該他の記録層に照射する前記レーザパワーを制御することを特徴とする請求の範囲第７項に記載の情報記録装置。
【請求項１３】
前記情報記録媒体は複数の記録層を備えており、
前記制御情報作成手段は、前記記録手段が情報記録を行う対象が、前記複数の記録層のうち一の記録層から他の記録層へ切り替わる場合において、当該一の記録層において求められた前記制御情報に基づき、当該他の記録層における前記制御情報を作成することを特徴とする請求の範囲第７項に記載の情報記録装置。
【請求項１４】
請求の範囲第１項に記載の情報記録媒体にレーザ光を照射して記録情報を記録する記録工程と、
前記情報記録媒体の前記記録制御エリアに記録される前記制御情報に基づいて、レーザパワーを最適化する最適化工程と、
を備えることを特徴とする情報記録方法。
【請求項１５】
情報記録媒体にレーザ光を照射し、当該情報記録媒体に記録情報を記録する第１記録工程と、
前記情報記録媒体の記録位置に応じた最適レーザパワーを求め、記録位置を表す情報と最適レーザパワー表す情報とを対応付けた制御情報を作成する制御情報作成工程と、
前記制御情報作成工程において作成した前記制御情報を記録する第２記録工程とを備え、
前記第２記録工程において記録される制御情報に基づいて、前記情報記録媒体に照射される前記レーザ光のパワーを制御する制御工程を有することを特徴とする情報記録方法。
【請求項１６】
請求の範囲第５項に記載の情報記録装置と、
前記情報記録媒体に記録された前記記録情報を再生する再生手段と
を備えることを特徴とする情報記録再生装置。
【請求項１７】
請求の範囲第７項に記載の情報記録装置と、
前記情報記録媒体に記録された前記記録情報を再生する再生手段と
を備えることを特徴とする情報記録再生装置。
【請求項１８】
請求の範囲第１４項に記載の情報記録方法と、
前記情報記録媒体に記録された前記記録情報を再生する再生工程と
を備えることを特徴とする情報記録再生方法。
【請求項１９】
請求の範囲第１５項に記載の情報記録方法と、
前記情報記録媒体に記録された前記記録情報を再生する再生工程と
を備えることを特徴とする情報記録再生方法。
【請求項２０】
請求の範囲第５項に記載の情報記録装置に備えられたコンピュータを制御する記録制御用のコンピュータプログラムであって、該コンピュータを、前記記録手段及び前記最適化手段のうち少なくとも一部として機能させることを特徴とするコンピュータプログラム。
【請求項２１】
請求の範囲第７項に記載の情報記録装置に備えられたコンピュータを制御する記録制御用のコンピュータプログラムであって、該コンピュータを、前記記録手段、前記制御情報作成手段、前記第２記録手段及び前記制御手段のうち少なくとも一部として機能させることを特徴とするコンピュータプログラム。
【請求項２２】
請求の範囲第１８項に記載の情報記録再生装置に備えられたコンピュータを制御する記録再生制御用のコンピュータプログラムであって、該コンピュータを、前記情報記録装置及び前記再生手段のうち少なくとも一部として機能させることを特徴とするコンピュータプログラム。
【請求項２３】
請求の範囲第１９項に記載の情報記録再生装置に備えられたコンピュータを制御する記録再生制御用のコンピュータプログラムであって、該コンピュータを、前記情報記録装置及び前記再生手段のうち少なくとも一部として機能させることを特徴とするコンピュータプログラム。
【発明の詳細な説明】
【技術分野】
【０００１】
本発明は、例えばＤＶＤ等の情報記録媒体、ＤＶＤレコーダ等の情報記録装置及び方法、情報記録再生装置及び方法、並びにコンピュータをこのような情報記録装置として機能させるコンピュータプログラムの技術分野に関する。
【背景技術】
【０００２】
例えば、光ディスク等の情報記録媒体を記録する情報記録再生装置においては、光ディスクの種類、情報記録再生装置の種類及び記録速度等に応じて、ＯＰＣ（Optimum Power Calibration）処理により、例えば記録動作に用いられるレーザ光の最適レーザパワーが設定される。即ち、レーザパワーのキャリブレーション（較正）が行われる。これにより、適切な記録動作を実現できる。例えば、光ディスクが装填されて書き込みのコマンドが入力されると、順次段階的に光強度が切り換えられて試し書き用のデータがＯＰＣエリアに記録され、いわゆる試し書きの処理が実行される。その後、このようにして記録された試し書き用のデータが再生され、この再生結果が所定の評価基準により判定されて、最適レーザパワーが設定される。また、実際の記録動作と同時に行うＯＰＣ（所謂、ランニングＯＰＣ）によっても、最適レーザパワーを設定することができる（特許文献１参照）。【０００３】
【特許文献１】特開２００２−７６６５３号公報
【発明の開示】
【発明が解決しようとする課題】
【０００４】
しかしながら、ＯＰＣは一般的に、光ディスクの所定の領域において行われるため、光ディスクの全面において最適なレーザパワーが求められるとは限らないという技術的な問題点を有している。加えて、ランニングＯＰＣは、実際に記録しながら行なうパワー較正であるため、いまだデータを記録していない領域においては、適切なレーザパワーで記録できるとは限らないという技術的な問題点を有している。【０００５】
本発明は、例えば上述した従来の問題点に鑑みなされたものであり、例えばより好適なレーザパワーで記録情報を記録することを可能ならしめる情報記録媒体、情報記録装置及び方法、情報記録再生装置及び方法、並びにコンピュータをこのような情報記録装置又は情報記録再生装置として機能させるコンピュータプログラムを提供することを課題とする。
【課題を解決するための手段】
【０００６】
上記課題を解決するために、本発明の情報記録媒体は、レーザ光を照射して記録情報を記録するための記録エリアと、前記記録エリア内の記録位置に応じてレーザパワーを制御するための制御情報を記録するための記録制御エリアとを備える。【０００７】
上記課題を解決するために、本発明の第１の情報記録装置は、本発明の情報記録媒体にレーザ光を照射して記録情報を記録する記録手段と、前記情報記録媒体の前記記録制御エリアに記録される前記制御情報に基づいて、レーザパワーを最適化する最適化手段とを備える。【０００８】
上記課題を解決するために、本発明の第２の情報記録装置は、情報記録媒体にレーザ光を照射し、当該情報記録媒体に記録情報を記録する第１記録手段と、前記情報記録媒体の記録位置に応じた最適レーザパワーを求め、記録位置を表す情報と前記最適レーザパワー表す情報とを対応付けた制御情報を作成する制御情報作成手段と、前記制御情報作成手段が作成した前記制御情報を記録する第２記録手段とを備え、前記第２記録手段により記録される制御情報に基づいて、前記情報記録媒体に照射されるレーザ光のパワーを制御する制御手段を有する。【０００９】
上記課題を解決するために、本発明の第１の情報記録方法は、本発明の情報記録媒体にレーザ光を照射して記録情報を記録する記録工程と、前記情報記録媒体の前記記録制御エリアに記録される前記制御情報に基づいて、レーザパワーを最適化する最適化工程と、を備える。【００１０】
上記課題を解決するために、本発明の第２の情報記録方法は、情報記録媒体にレーザ光を照射し、当該情報記録媒体に記録情報を記録する第１記録工程と、前記情報記録媒体の記録位置に応じた最適レーザパワーを求め、記録位置を表す情報と最適レーザパワー表す情報とを対応付けた制御情報を作成する制御情報作成工程と、前記制御情報作成工程において作成した前記制御情報を記録する第２記録工程とを備え、前記第２記録工程において記録される制御情報に基づいて、前記情報記録媒体に照射される前記レーザ光のパワーを制御する制御工程を有する。【００１１】
上記課題を解決するために、本発明の第１の情報記録再生装置は、本発明の第１の情報記録装置と、前記情報記録媒体に記録された前記情報を再生する再生手段とを備える。【００１２】
上記課題を解決するために、本発明の第２の情報記録再生装置は、本発明の第２の情報記録装置と、前記情報記録媒体に記録された前記情報を再生する再生手段とを備える。【００１３】
上記課題を解決するために、本発明の第１の情報記録再生方法は、本発明の第１の情報記録方法と、前記情報記録媒体に記録された前記情報を再生する再生工程とを備える。【００１４】
上記課題を解決するために、本発明の第２の情報記録再生方法は、本発明の第２の情報記録方法と、前記情報記録媒体に記録された前記情報を再生する再生工程とを備える。【００１５】
上記課題を解決するために、本発明の第１のコンピュータプログラムは、本発明の第１の情報記録装置に備えられたコンピュータを制御する記録制御用のコンピュータプログラムであって、該コンピュータを、前記記録手段及び前記最適化手段のうち少なくとも一部として機能させる。【００１６】
上記課題を解決するために、本発明の第２のコンピュータプログラムは、本発明の第２の情報記録装置に備えられたコンピュータを制御する記録制御用のコンピュータプログラムであって、該コンピュータを、前記第１記録手段、前記制御情報作成手段、前記第２記録手段及び前記制御手段のうち少なくとも一部として機能させる。【００１７】
上記課題を解決するために、本発明の第３のコンピュータプログラムは、本発明の第１の情報記録再生装置に備えられたコンピュータを制御する記録再生制御用のコンピュータプログラムであって、該コンピュータを、前記情報記録装置及び前記再生手段のうち少なくとも一部として機能させる。【００１８】
上記課題を解決するために、本発明の第４のコンピュータプログラムは、本発明の第２の情報記録再生装置に備えられたコンピュータを制御する記録再生制御用のコンピュータプログラムであって、該コンピュータを、前記情報記録装置及び前記再生手段のうち少なくとも一部として機能させる。【００１９】
本発明の作用及び他の利得は次に説明する実施の形態から明らかにされよう。
【図面の簡単な説明】
【００２０】
【図１】本発明の情報記録装置に係る実施例において用いられる光ディスクの基本構造を示し、上側部分は複数のエリアを有する光ディスクの概略平面図であり、これに対応付けられる下側部分は、その径方向におけるエリア構造の図式的概念図である。
【図２】本実施例に係る光ディスクのデータ構造を概念的に示すデータ構造図である。
【図３】本実施例に係る光ディスクに記録されている記録感度情報を概念的に示すグラフ及び表である
【図４】本発明の情報記録装置に係る第１実施例の基本構成を概念的に示すブロック図である。
【図５】第１実施例に係る情報記録装置の記録動作全体の流れを示すフローチャートである。
【図６】記録レーザパワーの補正の様子を概念的に示すグラフである
【図７】本発明の情報記録装置に係る第２実施例の基本構成を概念的に示すブロック図である。
【図８】第２実施例に係る情報記録装置における、第１動作例に係る記録動作全体の流れを示すフローチャートである。
【図９】較正カーブの補正の態様を概念的に示すグラフである。
【図１０】較正カーブを算出する態様を概念的に示すグラフである。
【図１１】ＲＯＰＣデータの一具体例を示す表である。
【図１２】より具体的な較正カーブの一具体例を示すグラフである。
【図１３】第１実施例に係る情報記録装置において、第１動作例に係る異なる記録層への記録動作の流れを示すフローチャートであ
【図１４】較正カーブの算出動作を概念的に示すグラフである。
【図１５】第２実施例に係る情報記録装置において、第２動作例に係る記録動作の流れを示すフローチャートである。
【図１６】第２実施例に係る情報記録装置において、第２動作例に係る異なる記録層への記録動作の流れを示すフローチャートである。
【符号の説明】
【００２１】
１、２  情報記録装置
１００  光ディスク
１０３  記録感度情報
１０４、１１４、１２４  リードインエリア
１０８、１１８、１２８  リードアウトエリア
３１０  光ピックアップ
３１２  ＲＦ検出器
３２０  ＬＤドライバ
３２６  ＬＰＰデータ検出器
４００  ＣＰＵ
４１０  比較器
４２０  メモリ
【発明を実施するための最良の形態】
【００２２】
以下、本発明の実施形態に係る情報記録媒体、情報記録装置及び方法、情報記録再生装置及び方法並びにコンピュータプログラムについて順に説明する。【００２３】
（情報記録媒体の実施形態）
本発明の情報記録媒体に係る実施形態は、レーザ光を照射して記録情報を記録するための記録エリアと、前記記録エリア内の記録位置に応じてレーザパワーを制御するための制御情報を記録するための記録制御エリアとを備える。【００２４】
本発明の情報記録媒体に係る実施形態によれば、記録エリアにおいて例えば映像記録情報や音楽記録情報等のコンテンツ或いはコンピュータ用のデータ記録情報等を含んでなる各種記録情報を記録することが可能である。【００２５】
本実施形態では特に、記録制御エリアを備えており、記録制御エリアには記録位置に応じてレーザパワーを制御するための制御情報が記録される。ここに、本発明に係る「制御情報」は、例えば後述の「記録位置と最適レーザパワーとの関係」のように、「記録位置とレーザパワーとの関係」を直接的に示す情報でもよい。或いは、後述の「記録位置と記録感度との関係」のように、「記録位置とレーザパワーとの関係」を間接的に示す情報であってもよい。【００２６】
そして、例えば後述する情報記録装置をして、当該制御情報を読み込ませることで、記録情報を記録する際のレーザ光のレーザパワーを制御することができる。例えば、レーザパワーにおける最適化を行なうことができる。そして、この制御情報は、記録エリア内の記録位置と対応付けられて記録されている。従って、記録情報を記録する記録位置に合わせて、より好適なレーザパワーにて当該記録情報を記録することが可能となる。また、その記録位置に対応する制御情報が含まれていれば、当該記録位置に初めて記録情報を記録する場合であっても、制御情報を参照すればより好適なレーザパワーにて記録情報を記録することができる。【００２７】
ここで、仮に制御情報が記録されていない情報記録媒体に記録情報を記録する場合であれば、例えば後述のＯＰＣにより、記録動作前に求められるレーザパワーにて記録情報を記録することとなる。しかしながら、情報記録媒体は、その製造条件等の違いにより記録位置によって記録感度（或いは、記録特性）が異なるため、いずれの記録位置においてもＯＰＣにより求めたレーザパワーが最適とは限らない。しかるに、本実施形態に係る情報記録媒体によれば、制御情報が記録されているため、記録位置に応じたより好適なレーザパワーにて記録情報を記録することができるという大きな利点を有する。【００２８】
以上の結果、本実施形態に係る情報記録媒体によれば、制御情報を用いて、記録位置に応じたより好適なレーザパワーで記録情報を記録することが可能となる。従って、例えば後述の情報記録装置における記録動作時において、記録品質を高め、該記録された記録情報の再生時におけるエラーレート等を低下させることができる。【００２９】
尚、例えば上述の記録エリアが積層構造に形成されている情報記録媒体の如く、複数の記録層を有する多層型の情報記録媒体であれば、夫々の記録エリア毎の制御情報を有していることが好ましい。【００３０】
本発明の情報記録媒体に係る実施形態の一の態様は、前記制御情報は、前記記録エリア内の記録位置を示す情報と、当該記録位置における記録感度を表す情報とを対応付けたものである。【００３１】
この態様によれば、例えば情報記録媒体の製造条件や製造工程等の相違により生ずる記録特性の違いによらず、好適なレーザパワーにて記録情報を記録することができる。ここに、「記録感度を表す情報」とは、記録エリア中における記録位置と当該情報記録媒体の記録感度との相関関係を示しており、例えばそれはテーブルの形式で記録されていてもよいし、グラフ（或いは、関数式）として記録されていてもよい。尚、本発明における「記録感度」とは、例えば記録エリアに記録情報を記録する際の記録特性を示すものであって、例えば記録のしやすさ等を示す指標である。例えば、“記録感度がよい（又は、大きい）”場合には、記録情報を記録するために必要な記録パワーは相対的に小さくてもよい。他方、“記録感度が悪い（又は、小さい）”場合には、記録情報を記録するために必要な記録パワーは相対的に大きい。【００３２】
本発明の情報記録媒体に係る実施形態の他の態様は、前記制御情報は、前記記録エリア内の記録位置を示す情報と、当該記録位置における最適レーザパワーを表す情報とを対応付けたものである。【００３３】
この態様によれば、例えば記録位置に応じた最適レーザパワーを直接的に示す制御情報を参照することで、比較的容易に最適レーザパワーを求めることができる。従って、後述の情報記録装置をして、その構成や動作をより簡略化することが可能となる。このような制御情報には、最適レーザパワーを表す情報として例えば最適レーザパワーの絶対値が含まれていてもよい。【００３４】
尚、本発明における「最適レーザパワー」とは、文字通り最も適したレーザパワーを示すことに限らず、記録時においてより適切に記録情報を記録することができる程度のレーザパワーをも含んだ広い趣旨である。より好ましくは、最適レーザパワーは、例えば後に詳述するようにアシンメトリの影響が記録動作に影響を与えない程度であったり、或いはエラーレートが０或いは概ね記録動作に影響を与えない程度に低い状態を実現できる程度のレーザパワーであることが好ましい。【００３５】
本発明の情報記録媒体に係る実施形態の他の態様は、前記制御情報は、前記記録エリア内の記録位置と、当該記録位置における最適レーザパワーとの相関関係を示すものである。【００３６】
この態様によれば、相関関係に基づき、例えば所定の演算等を施すことで、比較的容易に最適レーザパワーを求めることができる。このような制御情報には、最適レーザパワーと記録位置との関係を示すグラフ（或いは、関数）や表（或いは、テーブル）等が含まれていてもよい。【００３７】
（情報記録装置の実施形態）
本発明の情報記録装置に係る第１実施形態は、上述した情報記録媒体（但し、その各種態様を含む）にレーザ光を照射して記録情報を記録する記録手段と、前記情報記録媒体の前記記録制御エリアに記録される前記制御情報に基づいて、レーザパワーを最適化する最適化手段とを備える。【００３８】
本発明の情報記録装置に係る第１実施形態によれば、上述した本発明の情報記録媒体に係る実施形態と同様に、制御情報を用いて、記録位置に応じたより好適なレーザパワーで記録情報を記録することが可能となる。【００３９】
具体的には、例えば光ピックアップ等を含んでなる記録手段は、レーザ光を情報記録媒体に照射することで、映像記録情報や音楽記録情報等のコンテンツ或いはコンピュータ用のデータ記録情報等を含んでなる各種記録情報を記録する。そして、例えばＣＰＵ等を含んでなる最適化手段は記録制御エリアに記録されている制御情報を参照することで、記録情報を記録する際のレーザパワーを最適化することができる。尚、本発明における「最適化する」とは、例えば最適レーザパワーとなるようにレーザパワーを調整すること等、より好適（或いは、最適な）レーザパワーにて記録情報を記録可能な状態を実現することを示す趣旨である。従って、制御情報を参照することで、記録手段は最適レーザパワーにて記録情報を記録することができ、その記録特性を向上させことができる。その結果、記録情報を再生する際のエラーレート等も低下させることができるという利点も有する。加えて、上述のとおり、制御情報は、情報記録媒体中における記録位置に応じてレーザパワーを制御する情報である。このため、最適化手段は、記録情報の記録位置に応じた最適化を行なうことができ、その結果、記録手段は情報記録媒体中のいずれの位置においても或いは概ねの位置において、より好適な（或いは、最適な）レーザパワーにて記録情報を記録することが可能となる。【００４０】
以上の結果、本発明の情報記録装置に係る第１実施形態によれば、制御情報を参照することで、記録手段は、記録位置に応じたより好適なレーザパワーで記録情報を記録することが可能となる。即ち、上述した本実施形態に係る情報記録媒体が有する各種利益を享受することが可能となる。【００４１】
本発明の情報記録装置に係る第１実施形態の一の態様は、前記最適化手段は、前記記録制御エリアに記録される前記制御情報に基づいて、前記制御情報が存在しない記録位置における制御情報を概算する。【００４２】
この態様によれば、例えば制御情報が存在しない記録位置においても（即ち、その記録位置に応じてレーザパワーを制御する制御情報が直接的に記録されていなくとも）、既存の制御情報を参照し、制御情報が存在しない記録位置においても概算により制御情報を作成することができる。例えば、ＤＶＤ等の情報記録媒体において、最適レーザパワーが内周側から外周側へ漸次増加する旨を制御情報が示していれば、更に外周側に対応する制御情報が存在していなくとも、最適レーザパワーは相対的に大きくなると推測してもよい。そして、その具体的な値は、例えば制御情報が示す最適レーザパワーの増加の割合（比率）等に基づいて概算してもよい。これにより、例えば少なくとも一部の記録位置に対応する制御情報が存在すれば、記録手段はより好適なレーザパワーにて記録情報を記録することが可能となる。【００４３】
本発明の情報記録装置に係る第１実施形態の他の態様は、前記制御情報を格納する格納手段を更に備える。【００４４】
この態様によれば、情報記録媒体に記録されている制御情報を、格納手段に格納することができる。そして、該格納された制御情報を用いて、上述の如くレーザパワーを最適化することができる。特に、相対的に読込速度の遅い例えばＣＤ−ＲＯＭやＤＶＤ−ＲＯＭ等の情報記録媒体から制御情報を逐次読み出す必要が無くなり、相対的に読込速度の速い例えばＲＡＭ等の格納手段から制御情報を読み込んで利用することができる。従って、最適化手段による最適化に要する処理をより高速に行なうことができる。これは、記録速度の高速化につながるという大きな利点を有する。【００４５】
本発明の情報記録装置に係る第２実施形態は、情報記録媒体にレーザ光を照射し、当該情報記録媒体に記録情報を記録する第１記録手段と、前記情報記録媒体の記録位置に応じた最適レーザパワーを求め、記録位置を表す情報と前記最適レーザパワーを表す情報とを対応付けた制御情報を作成する制御情報作成手段と、前記制御情報作成手段が作成した前記制御情報を記録する第２記録手段とを備え、前記第２記録手段により記録される制御情報に基づいて、前記情報記録媒体に照射されるレーザ光のレーザパワーを制御する制御手段を有する。【００４６】
本発明の情報記録装置に係る第２実施形態によれば、第１記録手段の動作により、好適な記録パワーで記録情報を記録することが可能となる。【００４７】
本発明の情報記録装置に係る第２実施形態では特に、制御情報作成手段は、例えば後述のランニングＯＰＣ等を行なうことで、記録動作中における記録手段の最適レーザパワーを求める。そして更に、該最適レーザパワーを表す情報と記録位置を表す情報との相関関係を有する制御情報（例えば、後述の較正カーブ）を作成する。より具体的には、例えば最適レーザパワーを求めた記録位置とその最適レーザパワーから、その関係を適切に示す関数式やテーブル等を作成する。具体的に説明すると、ＤＶＤ等の情報記録媒体であれば、相対的に内周側における記録位置での最適レーザパワーが相対的に小さく、相対的に外周側に位置する記録位置での最適レーザパワーが相対的に大きければ、内周側から外周側へ記録位置が移動するにつれて、その最適レーザパワーが漸次低下する旨の制御情報を作成する。そして、第２記録手段は、該制御情報を例えば情報記録媒体や或いはＲＡＭ等の格納手段に記録する。そして、例えばＣＰＵ等を含んでなる制御手段は、この制御情報に基づいて、レーザパワーを制御する。例えば制御手段は、レーザパワーを最適化するように（即ち、最適レーザパワーとなるように）制御してもよい。【００４８】
従って、第１記録手段は適切に制御された（或いは、最適化された）レーザパワーにて記録情報を記録することができ、その記録特性を向上させことができる。その結果、記録情報を再生する際のエラーレート等も低下させることができるという利点も有する。加えて、制御情報は、情報記録媒体中における記録位置と最適レーザパワーとの対応関係を示している。このため、記録情報の記録位置に応じて、より適切にレーザパワーを制御することができ、その結果、第１記録手段は情報記録媒体中のいずれの位置においても或いは概ねの位置において、好適なレーザパワーにて記録情報を記録することが可能となる。特に、実際に最適レーザパワーを求めた記録位置における最適レーザパワーの絶対値やその記録位置の変化に対応する最適レーザパワーの変化の態様等から、実際に最適レーザパワーを求めていない記録位置においても適切にレーザパワーを制御することもできる。例えば、通常のランニングＯＰＣであれば、そのＯＰＣによる結果は、その記録位置における最適レーザパワーを求める以外に特に利用していなかった。しかるに第２実施形態に係る情報記録装置では、係る結果（即ち、最適レーザパワー）を蓄積し、その後のレーザパワーを制御する際に用いることで、上述の如き各種利益を享受でき、この点でランニングＯＰＣよりも相対的に優れているといえる。【００４９】
以上の結果、本発明の情報記録装置に係る第２実施形態によれば、記録動作中における制御情報作成手段が作成する制御情報を用いて、第１記録手段は、記録位置に応じたより好適なレーザパワー（或いは、最適レーザパワー）で記録情報を記録することが可能となる。【００５０】
本発明の情報記録装置に係る第２実施形態の他の態様は、前記第２記録手段は、前記制御情報作成手段が作成した前記制御情報を、前記情報記録媒体に記録する。【００５１】
この態様によれば、制御情報の作成を実際に行なった情報記録装置のみならず、他の情報記録装置（例えば、当該情報記録媒体に記録情報を記録したことのない情報記録装置等）においても、情報記録媒体に記録された制御情報を参照することで、レーザパワーを制御することができるという大きな利点を有する。【００５２】
加えて、過去に作成した制御情報の内容が反映されたより最新の制御情報を作成することができる。従って、より好適にレーザパワーを制御するための基礎となる制御情報を作成することが可能となる。即ち、制御情報作成手段が求めた最適レーザパワーを累積的に反映させた制御情報を利用できるという点で、この態様は大きな利点を有する。【００５３】
尚、当該情報記録装置がＲＡＭ等の格納手段を有していれば、該格納手段に制御情報を記録するように構成してもよい。【００５４】
本発明の情報記録装置に係る第２実施形態の他の態様は、前記制御情報作成手段は、ランニングＯＰＣ（Optimum Power Calibration）を行って得られるレーザパワーの較正値に基づいて前記制御情報を作成する。【００５５】
この態様によれば、較正値（例えば、後述のＲＯＰＣデータ）に基づいて、より信頼性の高い制御情報を作成することができる。このランニングＯＰＣの結果に基づき制御情報を作成する具体的な説明については、後の実施例中において詳述する。【００５６】
本発明の情報記録装置に係る第２実施形態の他の態様は、前記制御情報作成手段は、前記情報記録媒体の所定領域ごとに対応した前記制御情報を作成する。【００５７】
この態様によれば、例えば情報記録媒体の半径位置などのように所定領域毎に対応した制御情報を作成することができる。従って、当該制御情報を参照することで、情報記録媒体中の全体に渡って記録位置が変化しても、その変化に対応してレーザパワーを制御することができる。このとき、この所定領域は、情報記録媒体全体に渡って平均的に割り振られてもよいし、或いはランダムに割り振られた領域であってもよい。【００５８】
本発明の情報記録装置に係る第２実施形態の他の態様は、前記制御情報作成手段は、前記情報記録媒体の記録線速度に対応した前記制御情報を作成する。【００５９】
このように構成すれば、例えばＺ−ＣＬＶ（Zone Constant Liner Velocity）の場合、その記録線速度の相違に応じた制御情報を作成することが可能となる。従って、記録線速度の相違に対応してレーザパワーを制御することが可能となる。【００６０】
本発明の情報記録装置に係る第２実施形態の他の態様は、前記情報記録媒体は複数の記録層を備えており、前記制御手段は、前記記録手段により情報記録を行う対象が、前記複数の記録層のうち一の記録層から他の記録層へ切り替わる場合において、当該一の記録層において求められた前記制御情報に基づき、当該他の記録層に照射する前記レーザパワーを制御する。【００６１】
この態様によれば、例えば未だ記録情報を記録したことのない他の記録層においても、当該他の記録層と概ね同一の記録特性を持つであろうと推測される一の記録層における制御情報から、他の記録層におけるレーザパワーを制御することができる。従って、複数の記録層を備える情報記録媒体に記録情報を記録する場合であっても、いずれの記録層においてもより好適なレーザパワーで記録情報を記録することが可能となる。【００６２】
本発明の情報記録装置に係る第２実施形態の他の態様は、前記情報記録媒体は複数の記録層を備えており、前記制御情報作成手段は、前記記録手段により情報記録を行う対象が、前記複数の記録層のうち一の記録層から他の記録層へ切り替わる場合において、当該一の記録層において求められた前記制御情報に基づき、当該他の記録層における前記制御情報を作成する。【００６３】
この態様によれば、例えば未だ記録情報を記録したことのない他の記録層においても、当該他の記録層と概ね同一の記録特性を持つであろうと推測される一の記録層における制御情報から、他の記録層における制御情報を作成することができる。【００６４】
（情報記録方法の実施形態）
本発明の情報記録方法に係る第１実施形態は、上述した本発明の情報記録媒体に係る実施形態（但し、その各種態様を含む）にレーザ光を照射して記録情報を記録する記録工程と、前記情報記録媒体の前記記録制御エリアに記録される前記制御情報に基づいて、レーザパワーを最適化する最適化工程とを備える。【００６５】
本発明の情報記録方法に係る第１実施形態によれば、上述した本発明に係る情報記録装置に係る第１実施形態と同様に、最適化工程においてレーザパワーを最適化し、記録工程において最適化されたレーザパワーにて記録情報を記録することができる。従って、上述した本発明の情報記録装置に係る第１実施形態と同様の各種利益を享受することが可能である。【００６６】
尚、上述した本発明の情報記録装置に係る第１実施形態における各種態様に対応して、本発明に係る情報記録方法の第１実施形態も各種態様を採ることが可能である。【００６７】
本発明の情報記録方法に係る第２実施形態は、情報記録媒体にレーザ光を照射し、当該情報記録媒体に記録情報を記録する第１記録工程と、前記情報記録媒体の記録位置に応じた最適レーザパワーを求め、記録位置を表す情報と最適レーザパワー表す情報とを対応付けた制御情報を作成する制御情報作成工程と、前記制御情報作成工程において作成した前記制御情報を記録する第２記録工程とを備え、前記第２記録工程において記録される制御情報に基づいて、前記情報記録媒体に照射される前記レーザ光のパワーを制御する制御工程を有する。【００６８】
本発明の情報記録方法に係る第２実施形態によれば、上述した本発明に係る情報記録装置に係る第２実施形態と同様に、第１記録工程において記録情報を記録し、制御情報作成工程において最適レーザパワーを求めると共に、制御情報を作成し、第２記録工程においてこの制御情報を記録し、制御工程において制御情報に基づきレーザパワーを制御することができる。従って、上述した本発明の情報記録装置に係る第２実施形態と同様の各種利益を享受することが可能である。【００６９】
尚、上述した本発明の情報記録装置に係る第２実施形態における各種態様に対応して、本発明に係る情報記録方法の第２実施形態も各種態様を採ることが可能である。【００７０】
（情報記録再生装置の実施形態）
本発明の情報記録再生装置に係る実施形態は、上述した本発明の情報記録装置に係る第１又は第２実施形態（但し、その各種態様を含む）と、前記情報記録媒体から前記記録された記録情報を再生する再生手段とを備える。【００７１】
本発明の情報記録再生装置に係る実施形態によれば、上述した本発明の情報記録装置に係る第１又は第２実施形態が有する各種利益を享受することができると共に、例えば光ピックアップやＲＦ検出器、プッシュプル検出器等を備えてなる再生手段を用いて記録情報を再生することが可能となる。【００７２】
尚、上述した本発明の情報記録装置に係る第１又は第２実施形態における各種態様に対応して、本発明に係る情報記録再生装置の実施形態も各種態様を採ることが可能である。【００７３】
（情報記録再生方法の実施形態）
本発明の情報記録再生方法に係る実施形態は、上述した本発明の情報記録方法に係る第１又は第２実施形態（具体的には、その各工程）と、前記情報記録媒体から前記記録された記録情報を再生する再生工程とを備える。【００７４】
本発明の情報記録再生方法に係る実施形態によれば、上述した本発明の情報記録方法に係る第１又は第２実施形態が有する各種利益を享受することができるとともに、例えば光ピックアップやＲＦ検出器、プッシュプル検出器等の動作による再生工程において、記録情報を再生することが可能となる。【００７５】
尚、上述した本発明の情報記録方法に係る第１又は第２実施形態における各種態様に対応して、本発明に係る情報記録再生方法の実施形態も各種態様を採ることが可能である。【００７６】
（コンピュータプログラムの実施形態）
本発明に係るコンピュータプログラムの第１実施形態は、コンピュータを上述した情報記録装置の第１実施形態（但し、その各種形態も含む）として機能させる。より具体的には、コンピュータを上述した情報記録装置の第１実施形態における記録手段及び最適化手段の少なくとも一部として機能させる。【００７７】
本発明に係るコンピュータプログラムの第１実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録装置に係る第１実施形態を比較的簡単に実現できる。【００７８】
尚、上述した本発明の情報記録装置に係る第１実施形態における各種態様に対応して、本発明のコンピュータプログラムに係る第１実施形態も各種態様を採ることが可能である。【００７９】
本発明に係るコンピュータプログラムの第２実施形態は、コンピュータを上述した情報記録装置の第２実施形態（但し、その各種形態も含む）として機能させる。より具体的には、コンピュータを上述した情報記録装置の第２実施形態における第１記録手段、制御情報作成手段、第２記録手段及び制御手段の少なくとも一部として機能させる。【００８０】
本発明に係るコンピュータプログラムの第２実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録装置に係る第２実施形態を比較的簡単に実現できる。【００８１】
尚、上述した本発明の情報記録装置に係る第２実施形態における各種態様に対応して、本発明のコンピュータプログラムに係る第２実施形態も各種態様を採ることが可能である。【００８２】
本発明に係るコンピュータプログラムの第３実施形態は、コンピュータを上述した情報記録再生装置の実施形態（但し、その各種形態も含む）として機能させる。より具体的には、コンピュータを上述した情報記録装置の第１又は第２実施形態及び再生手段の少なくとも一部として機能させる。【００８３】
本発明に係るコンピュータプログラムの第３実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録再生装置に係る実施形態を比較的簡単に実現できる。【００８４】
尚、上述した本発明の情報記録再生装置に係る実施形態における各種態様に対応して、本発明のコンピュータプログラムに係る第３実施形態も各種態様を採ることが可能である。【００８５】
コンピュータ読取可能な媒体内のコンピュータプログラム製品に係る第１実施形態は上記課題を解決するために、コンピュータにより実行可能なプログラム命令を明白に具現化し、該コンピュータを、上述した情報記録装置の第１実施形態（但し、その各種形態も含む）として機能させる。より具体的には、該コンピュータを上述した情報記録装置の第１実施形態における記録手段及び最適化手段の少なくとも一部として機能させる。【００８６】
コンピュータ読取可能な媒体内のコンピュータプログラム製品に係る第２実施形態は上記課題を解決するために、コンピュータにより実行可能なプログラム命令を明白に具現化し、該コンピュータを、上述した情報記録装置の第２実施形態（但し、その各種形態も含む）として機能させる。より具体的には、該コンピュータを上述した情報記録装置の第２実施形態における第１記録手段、制御情報作成手段、第２記録手段及び制御手段の少なくとも一部として機能させる。【００８７】
コンピュータ読取可能な媒体内のコンピュータプログラム製品に係る第３実施形態は上記課題を解決するために、コンピュータにより実行可能なプログラム命令を明白に具現化し、該コンピュータを、上述した情報記録再生装置（但し、その各種形態も含む）として機能させる。より具体的には、該コンピュータを上述した情報記録装置に係る第１又は第２実施形態及び再生手段の少なくとも一部として機能させる。【００８８】
本発明のコンピュータプログラム製品に係る第１、第２、又は第３実施形態によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の情報記録装置に係る第１及び第２実施形態及び情報記録再生装置の少なくとも一部を比較的容易に実施可能となる。更に具体的には、当該コンピュータプログラム製品は、上述した本発明の情報記録装置に係る第１及び第２実施形態及び情報記録再生装置の少なくとも一部として機能させるコンピュータ読取可能なコード（或いはコンピュータ読取可能な命令）から構成されてよい。【００８９】
本発明のこのような作用及び他の利得は次に説明する実施の形態から明らかにされる。【００９０】
以上説明したように、本発明の情報記録媒体に係る実施形態は、記録エリアと記録制御エリアとを備える。従って、制御情報を用いて、記録位置に応じたより好適なレーザパワーで記録情報を記録することが可能となる。【００９１】
また、本発明の情報記録装置及び方法に係る第１実施形態は、記録手段及び最適化手段、又は記録工程及び最適化工程を備える。従って、制御情報を用いて、記録位置に応じて最適化された（即ち、より好適な）レーザパワーで記録情報を記録することが可能となる。【００９２】
また、本発明の情報記録装置及び方法に係る第２実施形態は、第１記録手段、制御情報作成手段、第２記録手段及び制御手段、又は第１記録工程、制御情報作成工程、第２記録工程及び調整工程を備える。従って、記録動作中における制御情報作成手段が求める制御情報を用いて、記録手段は、記録位置に応じて最適化された（即ち、より好適な）記録パワーで記録情報を記録することが可能となる。【００９３】
また、本発明の情報記録再生装置に係る実施形態によれば、第１又は第２実施形態に係る情報記録装置及び再生手段を備える。従って、第１又は第２実施形態に係る情報記録装置が有する各種利益を享受できると共に、記録情報を再生することも可能となる。
【実施例】
【００９４】
以下、本発明の実施例を図面に基づいて説明する。【００９５】
先ず、図１から図３を参照して、本発明の情報記録装置に係る実施例において用いられる情報記録媒体について説明する。本実施例では、情報記録媒体として光ディスクを用いて説明を進める。ここに、図１は、上側に複数のエリアを有する光ディスクの構造を概略平面図で示すと共に、下側にその径方向におけるエリア構造を概念図で対応付けて示すものであり、図２は、本実施例に係る光ディスクのデータ構造を概念的に示すデータ構造図であり、図３は、本実施例に係る光ディスクに記録されている記録感度情報を概念的に示すグラフ及び表である。【００９６】
図１に示すように、光ディスク１００は、例えば、記録（書き込み）が複数回又は１回のみ可能な、光磁気方式、相変化方式等の各種記録方式で記録可能とされており、ＤＶＤと同じく直径１２ｃｍ程度のディスク本体上の記録面に、センターホール１０２を中心として内周から外周に向けて、リードインエリア１０４、本発明における「記録エリア」の一具体例たるデータ記録エリア１０６及びリードアウトエリア１０８が設けられている。そして、各エリアには、例えば、センターホール１０２を中心にスパイラル状或いは同心円状に、グルーブトラック及びランドトラックが交互に設けられており、このグルーブトラックはウォブリングされてもよいし、これらのうち一方又は両方のトラックにプレピットが形成されていてもよい。尚、本発明は、このような三つのエリアを有する光ディスクには特に限定されない。例えば、リードインエリア１０４やリードアウトエリア１０８が存在せずとも、以下に説明するファイル構造は構築可能である。また、後述するように、リードインエリア１０４やリードアウト１０８は更に細分化された構成であってもよい。【００９７】
この光ディスク１００のデータ構造について、図２を参照してより詳細に説明する。図２に示すように、光ディスク１００は、リードインエリア１０４内に本発明における「制御情報」の位置具体例たる記録感度情報１０３が記録されている。記録感度情報１０３は、光ディスク１００上の位置に応じた記録感度の変化の態様等を示している。例えば、光ディスク１００に係るセンターホール１０２を中心とした半径位置等に応じた記録感度の変化の態様を示している。このような記録感度の変化は、例えば光ディスクの製造条件（例えば、製造プロセスや製造時の環境等）や記録層に用いられる材質（例えば、有機色素やアモルファス材料等）の相違等に起因して現れる。【００９８】
記録感度情報１０３は、当該光ディスク１００の製造時に予め製造メーカ等により記録されることが好ましい。また、本実施例では、記録感度情報１０３は、ランドプレピット（ＬＰＰ）の状態で記録されている。但し、その他の態様（例えば、特定のピット等）により記録されていてもよい。【００９９】
そして、この記録感度情報１０３は、図３（ａ）に示すように、光ディスク１００上におけるデータの記録位置（例えば、光ディスク１００のセンターホール１０２を中心とする半径位置）と記録感度との相関関係を示すグラフ（或いは、関数式）として記録されていてもよい。図３（ａ）に示す記録感度情報１０３（即ち、グラフ）は、半径位置が外周側に移るにつれて記録感度が漸次低下していくことを示している。【０１００】
或いは、図３（ｂ）に示すように、記録感度情報１０３は、光ディスク１００上におけるデータの記録位置（光ディスク１００のセンターホール１０２を中心とする半径位置）と最適記録レーザパワーとの相関関係を示すグラフ（或いは、関数）として記録されていてもよい。図３（ｂ）に示す記録感度情報１０３（即ち、グラフ）は、半径位置が外周側に移るにつれて最適記録レーザパワーが漸次大きくなっていくことを示している。尚、記録感度が向上すれば、それに応じて適切な記録動作に必要な記録レーザパワーが小さくなるという事実から、図３（ｂ）に示す記録感度情報１０３は、図３（ａ）に示す記録感度情報１０３と同様に、半径位置が外周側に移るにつれて記録感度が漸次低下していくことを示している。【０１０１】
尚、この場合の最適記録レーザパワーは、その絶対値により示されていてもよいし、或いは所定の半径位置における最適記録レーザパワーの値を基準とする比により示されていてもよい。所定の半径位置は、最内周側における半径位置であってもよいし、データ記録エリア１０６上における所定の半径位置であってもよいし、最外周側における半径位置であってもよいし、それ以外の半径位置であってもよい。そして、特に記録感度情報１０３が最適記録レーザパワーの比を示しているときは、その基準となるパワー値は、後述の情報記録装置がＯＰＣを行なうエリアにおける最適記録レーザパワー（即ち、ＯＰＣにより求められる記録レーザパワー）であることが好ましい。即ち、リードインエリア１０４内に存在するＯＰＣを行なうための領域たるＯＰＣエリアにおける記録レーザパワーを基準とすることが好ましい。【０１０２】
或いは、図３（ｃ）に示すように、記録感度情報１０３は、光ディスク１００のセンターホール１０２を中心とする離散的な半径位置と記録感度との対応表として記録されていてもよい。尚、係る半径位置は、任意の間隔単位で抽出した離散的な半径位置に限られず、例えば連続的な半径位置であってもよい。【０１０３】
また、記録感度情報１０３として、後述するような較正カーブやＲＯＰＣデータ等を含むように構成してもよいし、或いは最適記録レーザパワーの値を直接的に示す情報を含むように構成してもよい。【０１０４】
このように、記録感度情報１０３を光ディスク１００が予め備えていることで、例えば後述の情報記録装置は、該記録感度情報１０３を参照することで、より好適な記録レーザパワー（例えば、最適記録レーザパワー）にてデータを記録することが可能となる。例えば、後述のＯＰＣにより記録動作の開始前に予め算出した最適記録レーザパワーにてデータを記録中、その記録位置が順次外周側に移っていくとする。一方、記録感度情報１０３によれば、記録位置が外周側に移るにつれて記録感度も下がっていくとする。この場合、後述の情報記録装置は、記録感度情報１０３を参照することで、記録位置が順次外周側に移ることで記録感度が下がることを認識し、その記録レーザパワーを順次増加させていくことが可能となる。即ち、光ディスク１００の記録感度に応じたより好適な記録レーザパワーによりデータの記録を行なうことが可能となる。【０１０５】
仮に、記録感度情報１０３が存在しなければ、後述の情報記録装置は、光ディスク１００のいずれの記録位置においても、ＯＰＣにより記録動作の開始前に予め算出した最適記録レーザパワーによりデータを記録することとなる。しかしながら、光ディスク１００は記録位置により記録感度が変化するという特性を有しているため、いずれの記録位置においてもＯＰＣにより算出された最適記録レーザパワーが最適とは限らない。特に、ＯＰＣはリードインエリア１０４内に設けられたＯＰＣエリア内において試し書きデータを記録することでなされるため、記録位置が外周側に移るにつれて最適記録レーザパワーも変化すると考えられる。即ち、適切な記録レーザパワーでデータを記録できるとは限らず、例えば再生時のエラーレートの増加にもつながり得るという不都合が存在している。【０１０６】
しかるに、本実施例に係る光ディスク１００によれば、記録感度情報１０３を予め備えているため、記録位置の変化に起因した記録感度の変化に関わらず、好適な記録レーザパワーにてデータを記録することが可能となる。そして、光ディスク１００のいずれの記録位置にデータを記録する場合であっても、当該記録感度情報から最適記録レーザパワーを求めることができる。このため、上述の如き不都合を効果的に防ぎ、後述の情報記録装置をして、いずれの記録位置においてもより適切にデータを記録せしめることが可能となる。即ち、データの記録品質を向上させ、その結果、データの再生時におけるエラーレートの低下等の各種利益を享受することが可能となる。【０１０７】
（情報記録装置の第１実施例）
続いて、図４から図６を参照して、本発明の情報記録装置に係る第１実施例について説明する。【０１０８】
（１）基本構成
先ず、図４を参照して第１実施例に係る情報記録装置の基本構成について説明する。ここに、図４は、第１実施例に係る情報記録装置の基本構成を概念的に示すブロック図である。【０１０９】
図４に示すように、本実施例に係る情報記録装置１は、スピンドルモータ３０１、光ピックアップ３１０、ヘッドアンプ３１１、ＲＦ検出器３１２、サーボ回路３１５、ＬＤドライバ３２０、ウォブル検波器３２５、ＬＰＰデータ検出器３２６、エンベロープ検波器３３０、ＯＰＣパターン生成器３４０、タイミング生成器３４５、データ収集器３５０、バッファ３６０、ＤＶＤモジュレータ３７０、データＥＣＣ生成器３８０、インタフェース３９０及びＣＰＵ４００を備えて構成されている。【０１１０】
スピンドルモータ３０１は、サーボ回路３１５等によりスピンドルサーボを受けつつ所定速度で光ディスク１００を回転させるように構成されている。【０１１１】
光ピックアップ３１０は、光ディスク１００への記録又は再生を行うもので、半導体レーザ装置、各種レンズ、アクチュエータ等から構成される。より詳細には、光ピックアップ３１０は、光ディスク１００に対してレーザ光等の光ビームを、再生時には読み取り光として第１のパワーで照射し、記録時には書き込み光として第２のパワーで且つ変調させながら照射する。光ピックアップ３１０は、サーボ回路３１５により駆動される図示しないアクチュエータ、スライダ等により光ディスク１００の半径方向等に移動できるように構成されている。【０１１２】
ヘッドアンプ３１１は、光ピックアップ３１０の出力信号（即ち、光ビームＢの反射光）を増幅し、該増幅した信号を出力する。具体的には、読取信号たるＲＦ信号がＲＦ検出器３１２及びエンベロープ検波器３３０に出力され、プッシュプル信号がウォブル検出器３２５へ出力される。【０１１３】
ＲＦ検出器３１２は、ＲＦ信号を検出し、復調等を施すことで、インタフェース３９０を介して外部へ出力可能に構成されている。即ち、当該情報記録装置を、情報再生装置或いは情報記録再生装置として機能させることができる。【０１１４】
サーボ回路３１５は、光ピックアップ３１０の受光結果を処理して得られるトラッキングエラー信号及びフォーカスエラー信号等に基づいて、光ピックアップ３１０の対物レンズを移動し、これによりトラッキング制御及びフォーカス制御等の各種サーボ処理を実行する。また、光ディスク１００におけるウォブリングされたグルーブトラックのウォブルから得られるウォブル信号を基準にして、スピンドルモータ３０１をサーボ制御するように構成されている。【０１１５】
ＬＤドライバ３２０は、ＯＰＣ処理時には、後述のＯＰＣパターンの記録及び再生処理により最適な記録レーザパワーの決定が行えるように、光ピックアップ３１０内に設けられた半導体レーザを駆動する。その後、ＬＤドライバ３２０は、データ記録時には、前述のＯＰＣ処理により決定された最適な記録レーザパワーで、光ピックアップ３１０の半導体レーザを駆動するように構成されている。このデータ記録時には、最適記録レーザパワーは、記録データに応じて変調される。【０１１６】
尚、上述したスピンドルモータ３０１、光ピックアップ３１０、サーボ回路３１５及びＬＤドライバ３２０等を含めて、本発明に係る「記録手段」の一具体例を構成している。【０１１７】
ウォブル検出器３２５は、光ピックアップ３１０内に設けられた反射光ビームを受光する検出器たるヘッドアンプ３１１からの受光量に応じた出力信号に基づいて、ウォブル信号を示すプッシュプル信号を検出すると共に、タイミング生成器３４５へ出力するように構成されている。【０１１８】
ＬＰＰデータ検出器３２６は、光ピックアップ３１０内に設けられた反射光ビームを受光する検出器たるヘッドアンプ３１１からの受光量に応じた出力信号に基づいて、ＬＰＰ信号を示すプッシュプル信号を検出すると共に、当該ＬＰＰ信号に含まれる記録感度情報１０３を検出する。また、検出した記録感度情報１０３をＣＰＵ４００へ出力可能に構成されている。【０１１９】
更に、ＬＰＰデータ検出器３２６は、ＬＰＰ信号により示されたプリフォーマットアドレス情報を検出可能に構成されている。そして、当該プリフォーマットアドレス情報をタイミング生成器３４５へ出力可能に構成されている。【０１２０】
エンベロープ検波器３３０は、ＯＰＣ処理におけるＯＰＣパターンの再生時に、ＣＰＵ４００の制御下で、最適記録レーザパワーを決定するために、ヘッドアンプ３１１からの出力信号たるＲＦ信号のエンベロープ検波のピーク値及びボトム値を検出するように構成されている。係るエンベロープ検波器３３０は、例えばＡ／Ｄ（Analog/Digital）コンバータ等を含んでいるように構成されてもよい。【０１２１】
ＯＰＣパターン発生器３４０は、ＯＰＣ処理におけるＯＰＣパターンの記録時に、タイミング生成器３４５からのタイミング信号に基づいて、ＯＰＣパターンを示す信号を、ＬＤドライバ３２０に対して出力するように構成されている。【０１２２】
タイミング生成器３４５は、ＯＰＣ処理におけるＯＰＣパターンの記録時に、ＬＰＰデータ検出器３２６より入力されるプリフォーマットアドレス情報に基づき、該プリフォーマットアドレス情報（例えば、ＡＤＩＰワード）の管理単位を基準とした絶対位置情報を検出する。それと同時に、ウォブル信号を示すプッシュプル信号の周期に基づいて、プリフォーマットアドレス情報の管理単位より小さいスロット単位（例えば、ウォブル信号の一周期の自然数倍の長さに相当するスロット単位）を基準とした相対位置情報を検出する。よって、タイミング生成器３４５は、ＯＰＣ処理における記録開始位置がプリフォーマットアドレス情報の管理単位、即ち、各ＡＤＩＰワードの境界から開始されるか否かにかかわらず、その記録開始位置を特定することが可能であり、以後、ウォブル検出器３２５から出力されたウォブル信号を示すプッシュプル信号の周期に基づいて、ＯＰＣパターンを書き込むタイミング信号を生成して出力する。他方、タイミング生成器３４５は、ＯＰＣ処理におけるＯＰＣパターンの再生時に、記録時と同様にして、その再生開始位置を特定することが可能であり、以後、ウォブル検出器３２５から出力されたウォブル信号を示すプッシュプル信号の周期に基づいて、再生されたＯＰＣパターンをサンプリングするタイミング信号を生成して出力する。【０１２３】
データ収集器３５０は、主としてメモリ一般である。例えば、外付ＲＡＭ等から構成されている。エンベロープ検波器３３０で検波されたエンベロープがデータ収集器３５０に格納され、これに基づいて、ＣＰＵ４００における最適な記録レーザパワーの検出、即ち、ＯＰＣ処理が実行される。【０１２４】
バッファ３６０は、ＤＶＤモジュレータ３７０より変調された記録データを格納し、ＬＤドライバ３２０に出力可能に構成されている。【０１２５】
ＤＶＤモジュレータ３７０は、記録データに対してＤＶＤ変調を施し、バッファ３６０に出力可能に構成されている。ＤＶＤ変調として、例えばＥＦＭ（Eight to Fourteen Modulation）変調が施されてもよい。【０１２６】
データＥＣＣ生成器３８０は、インタフェース３９０より入力される記録データに対してエラー訂正用の符号を付加する。具体的には、所定のブロック単位（例えば、ＥＣＣクラスタ単位）毎にＥＣＣコードを付加し、ＤＶＤモジュレータ３７０へ出力する。【０１２７】
インタフェース３９０は、外部入力機器より記録データ等の入力を受け付け、データＥＣＣ生成器３８０へ出力する。また、例えばスピーカやディスプレイ等の外部出力機器に対して、ＲＦ検出器３１２より出力される再生データを出力可能に構成されていてもよい。【０１２８】
ＣＰＵ４００は、最適な記録レーザパワーを検出するために、例えば、ＬＤドライバ３２０、サーボ回路３１５等の各手段へ指示する、即ちシステムコマンドを出力することで、情報記録再生装置３００全体の制御を行う。通常、ＣＰＵ４００が動作するためのソフトウェアは、内部又は外部のメモリ内に格納されている。【０１２９】
（２）動作原理
続いて、図５及び図６を参照して、第１実施例に係る情報記録再生装置１の記録動作について説明する。ここに、図５は、第１実施例に係る情報記録装置の記録動作全体の流れを示すフローチャートであり、図６は、記録レーザパワーの最適化の様子を概念的に示すグラフである。【０１３０】
図５に示すように、情報記録装置１は、先ずＯＰＣ処理を行なう（ステップＳ１０１）。ここで、ＯＰＣ処理についてより具体的に説明すると、まずＣＰＵ４００による制御下で、光ピックアップ３１０がリードインエリア１０４内に設けられたＯＰＣエリアへ移動され、ＯＰＣパターン発生器３４０及びＬＤドライバ３２０等の制御により、順次段階的に（例えば、相互に異なる１６段階の）記録レーザパワーが切り換えられて、ＯＰＣパターンがＯＰＣエリアに記録される。ＯＰＣパターンとして、例えば３Ｔパルスに相当する短ピット及び１１Ｔパルスに相当する長ピットを夫々同一の長さの無記録区間と共に交互に形成した記録パターンが一つの例として挙げられる。【０１３１】
ＬＤドライバ３２０は、このＯＰＣパターン発生器３４０から出力されるＯＰＣパターンにより、記録レーザパワーを順次段階的に切り換えるように、光ピックアップ３１０内の半導体レーザを駆動する。【０１３２】
更に、このようなＯＰＣエリアへの試し書きの完了後には、ＣＰＵ４００の制御下で、該ＯＰＣエリアにおいて試し書きされたＯＰＣパターンが再生される。具体的には、エンベロープ検波器３３０に入力されたＲＦ信号より、当該ＲＦ信号のエンベロープ検波のピーク値及びボトム値がサンプリングされ、データ収集器３５０へ出力される。そして、ＣＰＵ４００の制御下で、これらピーク値及びボトム値は、データ収集器３５０へ格納される。その後、このようなＯＰＣパターンの再生が、１回のＯＰＣ処理において、例えば記録されたＯＰＣパターンの回数に応じて行われた後に、最適記録レーザパワーが決定される。即ち、これらのピーク値及びボトム値より求められるアシンメトリから、例えば記録特性の品質を表すジッタ値が最小付近となるような最適記録レーザパワーが算出される。【０１３３】
続いて、記録感度情報１０３が読み込まれる（ステップＳ１０２）。ここでは、ＬＰＰデータ検出器３２６が、光ディスク１００上に形成されたランドプリピット（ＬＰＰ）より、当該記録感度情報１０３を検出する。そして、検出された記録感度情報１０３は、ＣＰＵ４００へ出力され、その後の記録レーザパワーの最適化において利用される。【０１３４】
その後、記録レーザパワーの最適化を行なう（ステップＳ１０３）。より具体的には、本発明における「最適化手段」の一具体例たるＣＰＵ４００は、これからデータを記録する記録位置における記録感度とＯＰＣを行なった記録位置における記録感度との比較を行なう。これからデータを記録する記録位置における記録感度がＯＰＣを行なった記録位置における記録感度よりも大きければ、ＯＰＣにより算出された最適記録レーザパワーを小さくする。他方、これからデータを記録する記録位置における記録感度がＯＰＣを行なった記録位置における記録感度よりも小さければ、ＯＰＣにより算出された最適記録レーザパワーを大きくする。【０１３５】
具体的には、例えば、図６（ａ）に示すように、記録感度情報１０３により、所定の記録位置における最適記録レーザパワーの比が定められていたとする。このとき、この最適記録レーザパワーの比は、ＯＰＣエリアに相当する記録位置（即ち、半径位置がｒ１に係る記録位置）におけるパワー値を基準としている。そして、ＯＰＣ処理により、半径位置ｒ１における最適記録レーザパワーが値Ｐとして求められたとする。【０１３６】
そして、データを半径位置ｒ２に係る記録位置に記録する場合には、図６（ｂ）に示すように、この半径位置における最適記録レーザパワーの比がｋにて示されているとすると、半径位置ｒ２における最適記録レーザパワーの値は、Ｐ×ｋにて求めることができる。【０１３７】
また、記録感度情報１０３が、光ディスク１００の一部の記録位置に対応する情報（例えば、記録感度や記録レーザパワーの比しか有していない場合、現在存在する記録感度情報１０３より、記録感度情報１０３が存在しない記録位置における記録レーザパワーを推測するように構成してもよい。例えば、図６（ａ）に示すような記録感度情報１０３のグラフであれば、当該グラフを延長させることで、記録レーザパワーの比を概ね推測することができる。【０１３８】
再び図５において、ステップＳ１０３において最適化した記録レーザパワーにて、データを記録する（ステップＳ１０４）。【０１３９】
その後、適宜記録レーザパワーを変更するか否かが、例えばＣＰＵ４００により判定される（ステップＳ１０５）。ＣＰＵ４００は、例えば、データを記録する位置が大きく変化した場合に記録レーザパワーを変更すると判定してもよいし、或いは例えば複数の記録層を有する光ディスクに記録しているのであれば、異なる層へ記録する際に記録レーザパワーを変更すると判定してもよい。例えば、図６（ｃ）に示すように、半径位置がＲ１、Ｒ２、Ｒ３及びＲ４の夫々を超えた場合に、記録レーザパワーを変更すると判定してもよい。【０１４０】
再び図５において、この判定の結果、記録レーザパワーを変更すると判定された場合（ステップＳ１０５：Ｙｅｓ）、再びステップＳ１０３へ戻り、記録レーザパワーの最適化を行なう。具体的には、例えば記録位置の変更があった場合は、当該変更後の記録位置と記録感度情報とに基づき、図６（ａ）及び（ｂ）に示すように適切な記録レーザパワーとなるように最適化する。【０１４１】
他方、記録レーザパワーを変更しないと判定された場合（ステップＳ１０５：Ｎｏ）、続いて、ＣＰＵ４００の制御下で記録動作を終了するか否かが判定される（ステップＳ１０６）。ここでは、当該記録動作において記録すべきデータが全て記録されていれば、記録動作を終了すると判定してもよい。【０１４２】
この判定の結果、記録を終了すると判定されれば（ステップＳ１０６：Ｙｅｓ）、記録動作を終了する。他方、記録を終了しないと判定されれば（ステップＳ１０６：Ｎｏ）、ステップＳ１０４へ戻り、記録動作を継続する。【０１４３】
以上の結果、第１実施例に係る情報記録装置１によれば、光ディスクに予め記録されている記録感度情報１０３を用いて、最適記録レーザパワーを比較的容易に求めることができ、その結果、記録位置の変化に起因した記録感度の変化に関わらず、好適な記録レーザパワーにてデータを記録することが可能となる。即ち、上述した実施例に係る情報記録媒体（即ち、光ディスク１００）が有する各種利益を享受することができる。そして、例えば記録感度情報１０３が存在しない記録位置における最適記録レーザパワーであっても、当該記録感度情報１０３から推測することである程度正確な値を予測することが可能となる。【０１４４】
尚、第１実施例に係る記録情報装置１は、光ディスク１００より読み込んだ記録感度情報１０３を記録するためのメモリを備えていてもよい。このメモリは、例えばＲＡＭやフラッシュメモリ等の半導体メモリであることが好ましい。これにより、相対的に読込速度の遅い光ディスク１００からではなく、相対的に読込速度の速いメモリより記録感度情報１０３を読み込むことが可能となる。加えて、記録感度情報１０３を読み込むために、逐次光ディスク１００から読み込む必要がなくなる。従って、記録動作の高速化を実現することができるという大きな利点を有する。【０１４５】
尚、図４を参照して説明した第１実施例に係る情報記録装置は、情報記録再生装置の実施例も兼ねる。即ち、ヘッドアンプ３１１及びＲＦ検出器３１２を介して、記録情報を再生可能であり、本実施例は、情報再生装置の機能或いは情報記録再生装置の機能を含む。これは、後述の第２実施例に係る情報記録装置においても同様のことがいえる。【０１４６】
（情報記録装置の第２実施例）
続いて、図７から図１６を参照して、本発明の情報記録装置に係る第２実施例について説明する。第２実施例に係る情報記録装置は、データの記録動作時において記録レーザパワーの較正をし、該較正の結果を記録レーザパワーの較正データとして保存しながら、データの記録を行なう態様をとる。尚、上述した第１実施例に係る情報記録装置と同様の構成については、同様の参照符号及びステップ番号を付与することでその詳細な説明を省略する。【０１４７】
（１）基本構成
先ず、図７を参照して、第２実施例に係る情報記録装置の基本構成について説明する。ここに、図７は、第２実施例に係る情報記録装置の基本構成を示すブロック図である。【０１４８】
図７に示すように、本実施例に係る情報記録再生装置１は、スピンドルモータ３０１、光ピックアップ３１０、ヘッドアンプ３１１、ＲＦ検出器３１２、サーボ回路３１５、ＬＤドライバ３２０、ウォブル検波器３２５、ＬＰＰデータ検出器３２６、エンベロープ検波器３３０、ＯＰＣパターン生成器３４０、タイミング生成器３４５、データ収集器３５０、バッファ３６０、ＤＶＤモジュレータ３７０、データＥＣＣ生成器３８０、インタフェース３９０、ＣＰＵ４００、比較器４１０及びメモリ４２０を備えて構成されている。【０１４９】
第２実施例に係る情報記録装置では特に、比較器４１０は、いわゆるランニングＯＰＣを行なうために、記録動作時における光ビームＢの反射光の強度と上述のＯＰＣ動作時における反射光の強度とを比較可能に構成されている。【０１５０】
ここに、ランニングＯＰＣとは、データの記録動作と並行して行なう記録レーザパワーのキャリブレーションである。より具体的には、データの記録時における光ビームＢの反射光強度とリードインエリア１０４上のＯＰＣエリアにおいて行うＯＰＣの動作時における光ビームＢの反射光強度とを比較する。そして、これらの反射光強度の差がなくなるように（即ち、これらの反射光強度が同一の値を有するように）光ピックアップ３１０の記録レーザパワーを調整する。【０１５１】
そして、比較器４１０には、図示しないビームスプリッタ等により、光ピックアップ３１０が検出する反射光が入力可能に構成されている。【０１５２】
メモリ４２０は、ランニングＯＰＣによる記録レーザパワーの較正に関するデータ（例えば、その較正値、或いは較正後の記録レーザパワーの比や絶対値等）を格納可能に構成されている。そして、係る較正に関するデータは、例えばＣＰＵ４００により適宜読み出し可能に構成されている。また、上述の第１実施例に係る情報記録装置１についても説明したが、光ディスク１００に記録感度情報１０３が記録されていれば、当該記録感度情報１０３をメモリ４２０に記録するように構成してもよい。【０１５３】
（２）動作原理
続いて、図８から図１６を参照して、第２実施例に係る情報記録装置の動作原理について説明する。尚、第２実施例に係る情報記録装置の記録動作としては、シーケンシャル記録とランダム記録との２種類に大きく分けられる。このため、ここでの動作原理の説明についても、シーケンシャル記録を第１動作例として説明し、ランダム記録を第２動作例として説明する。【０１５４】
（第１動作例）
第１動作例について、図８から図１４を参照して説明する。尚、第１動作例に係るシーケンシャル記録とは、連続的にデータを記録する手法であって、例えば内周側から外周側に向かってトラックに沿ってデータを記録し、その反対の方向（即ち、外周側から内周側）へ戻ってデータを記録しない記録手法である。【０１５５】
（１）基本動作
まず、図８を参照して、第２実施例に係る情報記録装置の基本的な記録動作について説明する。ここに、図８は、記録動作の流れを示すフローチャートである。【０１５６】
図８に示すように、まず記録動作の対象となる光ディスク１００に記録感度情報１０３が記録されているか否かを判定する（ステップＳ２０１）。具体的には、ＣＰＵ４００の制御下で、光ディスク４００のランドプリピットを読み取り、そのＬＰＰ信号から記録感度情報１０３に相当する情報が存在するか否かにより判定してもよい。【０１５７】
この判定の結果、記録感度情報１０３が記録されていると判定した場合（ステップＳ２０１：Ｙｅｓ）、ＣＰＵ４００は、当該記録感度情報１０３を用いて較正カーブ（具体的には例えば、図６（ａ）及び（ｂ）に示すような、最適記録レーザパワーの比と記録位置との関係式）を作成する（ステップＳ２０２）。ここでは、実際に較正カーブを作成してもよいし、或いは実際に較正カーブを作成しなくとも、例えば当該較正カーブを作成できる程度のデータを有していてもよい。【０１５８】
その後、ＯＰＣ処理を行なう（ステップＳ２０３）。そして、実際にデータを記録する（ステップＳ２０４）。この記録動作の前に、ＯＰＣ処理により求めた記録レーザパワーとステップＳ２０２にて求めた較正カーブとから、第１実施例に係る動作原理において説明したように、例えばデータの記録位置に応じたより好適な最適記録レーザパワーを求めることが好ましい（図５におけるステップＳ１０３参照）。そして、データを記録する記録位置が変更する場合には、その都度較正カーブに応じてより好適な最適記録レーザパワーを求め、その最適記録レーザパワーにてデータを記録することが好ましい。そして、データを全て記録した場合には記録を終了する（ステップＳ２１３）。【０１５９】
尚、ステップＳ２０４における記録動作時には、後述するようなランニングＯＰＣ処理を行いながら適宜その記録レーザパワーを較正してもよい。そして、ランニングＯＰＣ処理による較正が、記録感度情報１０３に基づき求めた較正カーブと合致しない場合には、該較正カーブをランニングＯＰＣによる較正の結果に基づいて補正してもよい。【０１６０】
具体的に図９を参照して説明する。ここに、図９は、較正カーブの補正の態様を概念的に示すグラフである。【０１６１】
図９中太線のグラフに示すように、記録感度情報１０３（及びＯＰＣ処理）により求められた最適記録レーザパワーの較正カーブが求められたとする。このとき、所定の記録位置においてランニングＯＰＣを行なった結果、当該記録位置における最適記録レーザパワーが点Ｐにおける値を有していることが判明したとする。このとき、当初の太線により示される較正カーブを、ランニングＯＰＣによる較正の結果に合わせて、図９中鎖線にて示される較正カーブとなるように補正してもよい。【０１６２】
再び図８において、他方、ステップＳ２０１における判定の結果、記録感度情報１０３が記録されていないと判定された場合（ステップＳ２０１：Ｎｏ）、続いて本発明における「較正値」の一具体例たるＲＯＰＣ（Running OPC）データが記録されているか否かを判定する（ステップＳ２０５）。具体的には、例えばＲＯＰＣデータが光ディスク１００に記録されているか、或いはメモリ４２０に記録されているかを、光ディスク１００及びメモリ４２０をシークすることで判定する。【０１６３】
尚、ＲＯＰＣデータとは、ランニングＯＰＣ処理により較正される記録レーザパワーの較正の結果を示す情報であり、例えばその較正値そのものを含んでいてもよいし、最適記録レーザパワーの絶対値（或いは、その比）であってもよい。そして、これにその較正を行なった記録位置に関する情報が含まれていてもよい。【０１６４】
この判定の結果、ＲＯＰＣデータが記録されていると判定されれば（ステップＳ２０５：Ｙｅｓ）、当該ＲＯＰＣデータに基づき、本発明における「制御情報」の一具体例たる較正カーブを算出する（ステップＳ２１１）。ここでは、ＣＰＵ４００の動作により、ＲＯＰＣデータが含む較正値（或いは、最適記録レーザパワーの値や比等）と記録位置とから、その関係を示す関数式を作成する。【０１６５】
この較正カーブの算出動作について、図１０及び図１１を参照してより詳細に説明する。ここに、図１０は、較正カーブを算出する態様を概念的に示すグラフであり、図１１はより具体的な較正カーブの一具体例を示すグラフである。【０１６６】
図１０に示すように、黒点にて示す関係がＲＯＰＣデータにより判明しているとする。即ち、ＲＯＰＣデータは、４つの記録位置に対応し、且つランニングＯＰＣにより較正されたその記録位置における最適記録レーザパワーの値或いは比を有している。ここで、ＣＰＵ４００は最小二乗法等の数学的又は統計的手法を用いて、当該４つの点から夫々の点を通る曲線（即ち、関数式）を算出する。このとき、４つの点が存在する記録位置において求められる曲線は、実際のランニングＯＰＣによる較正が反映されているため、その信頼性が高いものといえる。他方、未だランニングＯＰＣを行っていいない（即ち、ＲＯＰＣデータが存在しない）記録位置に関しては、ここで求められる曲線はあくまで予測値に過ぎない。【０１６７】
しかしながら、従来のランニングＯＰＣでは、その記録レーザパワーの較正値等を記録することはなかったため、現在記録を行なっている記録位置でしか最適記録レーザパワーの算出が行えなかった。しかるに、第２実施例に係る情報記録装置２によれば、ランニングＯＰＣによる較正値等をＲＯＰＣデータとして記録し、且つそのＲＯＰＣデータに基づき未だ記録を行なっていない記録位置における最適記録レーザパワーをも含めて較正カーブを算出することが可能である。従って、単にランニングＯＰＣを行なって記録レーザパワーの較正を行なうのみに比べて、より好適な最適記録レーザパワーにてデータの記録を行なうことができるという大きな利点を有する。【０１６８】
尚、図１０に示すグラフのうち、予測により作成された較正カーブの部分は、その部分における較正値等がＲＯＰＣデータに追加されれば、該追加されたＲＯＰＣデータに基づいて、より好適な較正カーブとして算出することができる。また、ＲＯＰＣデータとして、当該較正カーブ自体を有していてもよい。【０１６９】
また、このような較正カーブは、少なくとも２つの較正値を含むＲＯＰＣデータがあれば作成することができる。例えば該２つの較正値により示される２点を通る直線を、較正カーブとして推測してもよい。もちろん、ＲＯＰＣデータに含まれる較正値の数が多いほど、より信頼性の高い較正カーブが得られることはいうまでもない。【０１７０】
また、図１０に示すような較正カーブの予測をしなくとも、データの記録位置に最も近い（或いは、相対的に近い）記録位置に対応する最適記録レーザパワーの比等を用いて、最適記録レーザパワーとして求めてもよい。即ち、図１０に示すように、較正カーブが推測により求められることになる記録位置においては、図中最右側にある黒点により示される値を、最適記録レーザパワーの値としてもよい。【０１７１】
再び図８において、較正カーブの算出後、ＯＰＣ処理を行なう（ステップＳ２０３）。そして、当該ＯＰＣ処理により求められた記録レーザパワーの値とステップＳ２１１にて求めた較正カーブとから、上述した図５におけるステップＳ１０３を参照して説明したように、より好適な最適記録レーザパワーを求める（ステップＳ２１２）。そして、その後、ランニングＯＰＣを行いながらデータを記録していく（ステップＳ２０６）。【０１７２】
他方、ステップＳ２０５における判定の結果、ＲＯＰＣデータがないと判定されれば、ＯＰＣ処理を行い、記録レーザパワーを求める（ステップＳ２０３）。その後、ランニングＯＰＣを行いながらデータを記録する（ステップＳ２０６）。【０１７３】
ここで、ランニングＯＰＣ処理について説明する。データの記録時には、光ビームＢを光ディスク１００の記録面上に照射することで、データを示すピットを形成している。そして、このデータの記録時には、照射した光ビームＢが記録面等において反射し、反射光として光ピックアップ３１０に戻ってくる。ランニングＯＰＣでは、この反射光を利用して、データを記録している記録位置における最適記録レーザパワーを求めている。具体的には、反射光の強度と図８のステップＳ２０３におけるＯＰＣ処理時の反射光の強度とが同一或いは概ね同一となるように、ＬＤドライバ３２０はＣＰＵ４００の制御下で半導体レーザを駆動する。【０１７４】
従って、第２実施例に係る情報記録装置では、ステップＳ２０３において行なうＯＰＣ処理時の反射光の強度を、例えばメモリ４２０等に記録しておく。そして、その反射光の強度を比較器４１０に入力することで、データ記録時の反射光の強度と適宜比較できるように構成されている。【０１７５】
ステップＳ２０６における記録時には、このランニングＯＰＣを行いながらデータを記録している。尚、ランニングＯＰＣ処理は、連続的に行なうように構成してもよいし、或いは所定の又は不定期の期間毎に行なうようにしてもよいし、或いは後述のチェックポイントに到達する毎に行なうように構成してもよい。【０１７６】
ここで、データを記録している記録位置が所定のチェックポイント＃ｎに該当するか否かが判定される（ステップＳ２０７）。このチェックポイントは、例えば光ディスク１００の所定の半径位置（例えば、２４ｍｍ、３６ｍｍ、４５ｍｍ等の半径位置）であったり、所定の物理アドレス値であってもよい。或いは、例えば光ディスク１００にデータを記録する際の線速度が変化する点をチェックポイントとしてもよいし、データの記録を停止（或いは、一時停止）した点をチェックポイントとしてもよい。そして、光ピックアップ３１０の位置から半径位置を監視してもよいし、ＬＰＰ信号に含まれるプリフォーマットアドレス情報から、物理アドレス値を監視してもよいし、該物理アドレス値より半径位置を推測することで半径位置を監視してもよい。【０１７７】
また、ステップＳ２０５においてＲＯＰＣデータがあると判定された場合、既に光ディスク１００上の一部の記録領域にはデータが記録されているため、情報記録装置２はその続きからデータを記録していくこととなる。従って、このときチェックポイント＃ｎに該当するか否かの判定は、その記録の続き以降に存在するチェックポイント＃ｎに該当するか否かを判定すれば足りる。例えば、チェックポイントが“＃１”から“＃２０”まで内周側から外周側に順に存在し、且つ既にチェックポイント“＃８”を超えた位置までデータの記録が終了している場合、情報記録装置２は、チェックポイント“＃９”からチェックポイント“＃２０”までに該当するか否かを判定すればよい。【０１７８】
この判定の結果、所定のチェックポイント＃ｎに該当すると判定された場合は（ステップＳ２０７：Ｙｅｓ）、当該記録位置においてしたランニングＯＰＣの結果をＲＯＰＣデータとしてメモリ４２０に記録する（ステップＳ２０８）。このとき、既にメモリ４２０内にＲＯＰＣデータが存在していれば、更に新たなランニングＯＰＣの結果を追加するようにＲＯＰＣデータを記録する。このとき、ステップＳ２０５においてＲＯＰＣデータが記録されていると判定された時点で、そのＲＯＰＣデータをメモリ４２０に記録するように構成してもよい。そして、記録動作を終了するか否かが判定される（ステップＳ２１０）。【０１７９】
ここで、ＲＯＰＣデータについて図１１を参照してより具体的に説明する。ここに、図１１は、ＲＯＰＣデータの一具体例を示す表である。【０１８０】
図１１に示すように、ＲＯＰＣデータには、記録位置と当該記録位置における最適記録レーザパワーの比とが記録されている。そして、この最適記録レーザパワーの比は、図１１においては、半径位置２４ｍｍの記録位置における最適記録レーザパワーを基準としている。チェックポイントに該当したときにメモリ４２０に記録するＲＯＰＣデータは、図１１に示すＲＯＰＣデータのうち一つの半径位置と該一つの半径位置における最適記録レーザパワーの比である。尚、メモリ４２０に逐次記録しなくとも、光ディスク１００に逐次記録するように構成してもよい。特に、書換可能型の光ディスクであれば、上書きが可能であるため、このように構成してもディスクとしての記録容量に影響を与えることはない。【０１８１】
そして、図１１におけるＲＯＰＣデータは、図８のステップＳ２１１において較正カーブ算出の基礎とされ、例えば図１１に示すＲＯＰＣデータから図１２（ａ）や図１２（ｂ）に示すような較正カーブが算出される。【０１８２】
図１２（ａ）に示す較正カーブは、図１１に示すＲＯＰＣデータを、近似式を用いて関数化したものであり、また図１２（ｂ）に示す較正カーブは、図１１に示すＲＯＰＣデータを相隣接する２点間を線分で接続したものである。尚、縦軸は最適記録パワーの比で示されており、半径位置が概ね２４ｍｍ程度の記録位置における記録パワーを基準値としている。【０１８３】
再び図８において、他方、所定のチェックポイント＃ｎに該当しないと判定された場合は（ステップＳ２０７：Ｎｏ）、続いて記録動作を終了するか否かが判定される（ステップＳ２１０）。即ち、記録すべきデータを全て記録したか、或いは光ディスク１００の記録容量限度までデータを記録したか否か等が判断される。【０１８４】
この判定の結果、記録動作を終了すると判定された場合（ステップＳ２１０：Ｙｅｓ）、記録動作を終了し（ステップＳ２１３）、その後、メモリ４２０に記録されていたＲＯＰＣデータを光ディスク１００のリードインエリア１０４内にあるＲＭＤ（Recording Management Data）に記録する（ステップＳ２１４）。【０１８５】
他方、記録動作を終了しないと判定された場合（ステップＳ２１０：Ｎｏ）、チェックポイントの変数ｎをインクリメントする（ステップＳ２０９）。即ち、次にＲＯＰＣデータを記録すべき記録位置を示すチェックポイントを更新し（即ち、次のチェックポイントを指定し）する。そして、再度ステップＳ２０６へ戻り、ランニングＯＰＣを行いながらデータを記録する。【０１８６】
尚、ＣＰＵ４００等が本発明における「制御手段」の一具体例を構成し、比較器４１０やＣＰＵ４００等を含めて本発明における「制御情報作成手段」を構成している。【０１８７】
（２）異なる記録層への記録
続いて、図１３及び図１４を参照して、光ディスク１００が複数の記録層を有している場合において、記録動作の対象となる記録層が切り替わる際の記録動作について説明する。尚、複数の記録層を有する光ディスクであっても、同一の記録層への記録を続ける場合の動作は、図８から図１２を参照して説明した動作と同様である。ここに、図１３は、異なる記録層への記録動作の流れを示すフローチャートであり、図１４は、較正カーブの算出動作を概念的に示すグラフである。尚、図１３においては、図８における動作と同様の動作については同様のステップ番号を付するものとし、その詳細な説明を省略する。【０１８８】
図１３に示すように、まず、光ディスク１００に記録感度情報１０３が記録されているか否かが判定される（ステップＳ２０１）。ここでは、その記録動作の前提として、今まで記録していた記録層から異なる記録層へデータを記録しようとしているものとする。【０１８９】
この判定の結果、記録感度情報１０３が記録されていると判定された場合には（ステップＳ２０１：Ｙｅｓ）、図８における動作例と同様に、較正カーブを算出し（ステップＳ２０２）、ＯＰＣ処理を行い（ステップＳ２０３、データを記録する（ステップＳ２０４）。【０１９０】
他方、記録感度情報１０３が記録されていないと判定された場合には（ステップＳ２０１：Ｎｏ）、続いて、これからデータを記録しようとしている記録層におけるＲＯＰＣデータが存在するか否かが判定される（ステップＳ３０１）。具体的には、例えば２つの記録層（即ち、一の記録層と他の記録層）を有する光ディスクについて、これから他の記録層にデータを記録しようとする場合、当該他の記録層におけるＲＯＰＣデータが光ディスク１００やメモリ４２０等に記録されているか否かが判定される。【０１９１】
この判定の結果、ＲＯＰＣデータが記録されていると判定された場合（ステップＳ３０１：Ｙｅｓ）、図８における動作例と同様に、ＲＯＰＣデータにより較正カーブを算出し（ステップＳ２１１）、ＯＰＣ処理を行い（ステップＳ２０３）、較正カーブにて記録レーザパワーを最適化する（ステップＳ２１２）。そして、ランニングＯＰＣを行ないながらデータを記録していく（ステップＳ２０６）。【０１９２】
他方、ＲＯＰＣデータが記録されていないと判定された場合（ステップＳ３０１：Ｎｏ）、これからデータを記録しようとしている記録層とは異なる記録層におけるＲＯＰＣデータから較正カーブを算出する（ステップＳ３０２）。例えば、２つの記録層（即ち、一の記録層と他の記録層）を有する光ディスクについて、これから他の記録層にデータを記録しようとする場合、当該一の記録層におけるＲＯＰＣデータを用いて較正カーブを算出する。尚、較正カーブの算出動作については、図８におけるステップＳ２１１と同様の動作により行われる。【０１９３】
その後、これからデータを記録しようとしている記録層においてＯＰＣ処理を行なう（ステップＳ２０３）。そして、当該ＯＰＣ処理により算出された記録レーザパワーとステップＳ２１１にて求めた較正カーブとから、上述した図５におけるステップＳ１０３を参照して説明したように、より好適な最適記録レーザパワーを求める（ステップＳ２１２）。【０１９４】
ここで、係る最適記録レーザパワーを求める動作について、図１４を参照して説明する。ここに、図１４は、異なる記録層における較正カーブを概念的に示すグラフである。【０１９５】
図１４上部に示すように、一の記録層における較正カーブが示されているとする。このとき、該較正カーブは、最適記録レーザパワーの絶対値をＰとし、半径位置をｒとすると、Ｐ＝ｆ（ｒ）なる関数式により表されるとする。ここで、異なる記録層たる他の記録層は、一の記録層とその記録特性において、製造条件や製造メーカ等が同一であることを考慮すると、ある程度の同一性を有していると考えられえる。従って、他の記録層における最適記録レーザパワーを求める際に、一の記録層における較正カーブを用いることができる。【０１９６】
具体的には、他の記録層におけるＯＰＣ処理で、ＯＰＣエリアにおける記録レーザパワーｐ２が求められたとする。このとき、図１４下部に示すように、当該ｐ２を起点として、図１４上部に示す較正カーブと同一の変化率に係る較正カーブを作成すれば、他の記録層における較正カーブとすることができる。このとき、図１４下部に示される較正カーブは、その記録レーザパワーの絶対値をＰ２とすると、Ｐ２＝ｆ（ｒ）＋（ｐ２−ｐ１）にて示される。もちろん、較正カーブが最適記録レーザパワーの比を示していても、関数式は違うにせよ、上記と同様の手法により、他の記録層における較正カーブを求めることができる。そして、他の記録層においてデータを記録していくに従って、ＲＯＰＣデータが求められれば、当該ＲＯＰＣデータを用いて、較正カーブをより信頼性の高いものとするように補正していくことが好ましい。【０１９７】
このように、これからデータを記録する他の記録層における較正カーブを、既にデータを記録している一の記録層における較正カーブを参照して作成することで、データを記録していない他の記録層においても、より好適な最適記録パワーを求めることができる。【０１９８】
再び図１３において、その後ランニングＯＰＣを行いながらデータを記録していく（ステップＳ２１１）。以降は、図８において説明したのと同様の動作により、チェックポイント毎にＲＯＰＣデータがメモリ４２０に記録され、記録終了後にはＲＯＰＣデータがＲＭＤへ記録される。【０１９９】
（第２動作例）
続いて、第２動作例について、図１５及び図１６を参照して説明する。尚、第２動作例に係るランダム記録とは、任意の記録位置においてデータを記録する手法であって、上述したシーケンシャル記録の如く記録動作が進行する方向が定まっていない記録手法である。尚、図１５及び図１６においては、上述した第１動作例における動作と同様の動作については同様のステップ番号を付するものとし、その詳細な説明を省略する。【０２００】
（１）基本動作
まず、図１５を参照して、第２実施例に係る情報記録装置の基本的な記録動作のうち第２動作例について説明する。ここに、図１５は、第２動作例に係る記録動作の流れを示すフローチャートである。【０２０１】
図１５に示すように、第２動作例に係る記録動作は、概ね第１動作例に係る記録動作（図８参照）と同様である。【０２０２】
第２動作例では特に、チェックポイントに該当するか否かの判定が第１動作例と異なる。具体的には、チェックポイント＃ｎに該当するか否かの判定を行い（ステップＳ２０７）、該当していればＲＯＰＣデータをメモリ４２０へ記録し（ステップＳ２０８）、該当しなければ全てのチェックポイントに該当するか否かの判定を行なう（ステップＳ４０１）。即ち、チェックポイントが＃１から＃２０まで存在すれば、今判定を行なっている記録位置が、チェックポイント＃１から＃２０までのいずれかに該当するか否かの判定を行なったかを判定する。図中ｎ（ｍａｘ）は、チェックポイントの総数を示している。【０２０３】
この判定の結果、全てのチェックポイントに該当するか否かの判定を行なっていないと判定されれば（ステップＳ４０１：Ｎｏ）、ｎをインクリメントし（ステップＳ４０２）、再度チェックポイント＃ｎ＋１に該当するか否かの判定を行う。他方、全てのチェックポイントに該当するか否かの判定を行なったと判定されれば（ステップＳ４０１：Ｙｅｓ）、続いて、記録動作を終了するか否かを判定する（ステップＳ２１０）。【０２０４】
この判定の結果、記録動作を終了すると判定された場合は（ステップＳ２１０：Ｙｅｓ）、記録を終了し（ステップＳ２１３）、ＲＯＰＣデータをＲＭＤへ記録する（ステップＳ２１４）。【０２０５】
他方、記録動作を終了しないと判定された場合は（ステップＳ２１０：Ｎｏ）、ｎを初期化（例えば、ｎ＝１とし）、再度ランニングＯＰＣを行ないながらデータを記録する（ステップＳ２０６）。【０２０６】
（２）異なる層への記録
続いて、図１６を参照して、光ディスク１００が複数の記録層を有している場合において、記録動作の対象となる記録層が切り替わる際の記録動作について説明する。ここに、図１６は、異なる記録層への記録動作の流れを示すフローチャートである。【０２０７】
図１６に示すように、第２動作例に係る記録動作は、第１動作例に係る動作例と概ね同一であり、また、チェックポイントに該当するか否かの判定も、上述の図１５を参照して説明した動作と同様である。【０２０８】
以上の結果、第２実施例に係る情報記録装置２によれば、データの記録中に行なうランニングＯＰＣによる較正の結果を参照して、最適記録レーザパワーを比較的容易に求めることが可能となる。特に、データ記録していない記録位置における最適記録レーザパワーであっても、既に行なったランニングＯＰＣによる較正の結果から、好適な記録レーザパワーを求める（或いは、推測する）ことが可能となる。【０２０９】
尚、例えばランニングＯＰＣによる較正のみを行なうと予め定められていれば、図８（或いは、図１３、図１５、図１６等）におけるステップＳ２０１の判定を省略して、ステップＳ２０５における判定動作から記録動作を開始してもよい。【０２１０】
また、上述の説明では、記録感度情報１０３による較正カーブを用いる説明とＲＯＰＣデータに基づく較正カーブを用いる説明を進めたが、もちろんこれら２つの較正カーブを組み合わせることで、より好適な最適記録レーザパワーを求めるように構成してもよい。【０２１１】
また、上述の実施例では、情報記録媒体の一例として光ディスク１００及び情報記録装置の一例として光ディスク１００に係るレコーダについて説明したが、本発明は、光ディスク及びそのレコーダに限られるものではなく、他の高密度記録或いは高転送レート対応の各種情報記録媒体並びにそのレコーダにも適用可能である。【０２１２】
本発明は、上述した実施例に限られるものではなく、請求の範囲及び明細書全体から読み取れる発明の要旨或いは思想に反しない範囲で適宜変更可能であり、そのような変更を伴なう情報記録媒体、情報記録装置及び方法、情報記録再生装置及び方法並びに、記録制御用及び記録再生制御用のコンピュータプログラムもまた本発明の技術的範囲に含まれるものである。
【産業上の利用可能性】
【０２１３】
本発明に係る情報記録媒体、情報記録装置及び方法、情報記録再生装置及び方法、並びにコンピュータプログラムは、例えば、民生用或いは業務用の、各種情報を高密度に記録可能な高密度光ディスクに利用可能であり、更に光ディスクに係るレコーダ又はプレーヤ等に利用可能である。また、例えば民生用或いは業務用の各種コンピュータ機器に搭載される又は各種コンピュータ機器に接続可能な、情報記録媒体、記録又は再生装置等にも利用可能である。
【図１】
2005034108.tif 000003
【図２】
2005034108.tif 000004
【図３】
2005034108.tif 000005
【図４】
2005034108.tif 000006
【図５】
2005034108.tif 000007
【図６】
2005034108.tif 000008
【図７】
2005034108.tif 000009
【図８】
2005034108.tif 000010
【図９】
2005034108.tif 000011
【図１０】
2005034108.tif 000012
【図１１】
2005034108.tif 000013
【図１２】
2005034108.tif 000014
【図１３】
2005034108.tif 000015
【図１４】
2005034108.tif 000016
【図１５】
2005034108.tif 000017
【図１６】
2005034108.tif 000018
【手続補正書】
【提出日】平成17年8月2日(2005.8.2)
【手続補正１】
【補正対象書類名】特許請求の範囲
【補正対象項目名】請求項１
【補正方法】変更
【補正の内容】
【請求項１】レーザ光を照射して記録情報を記録するための記録エリアと、
ランニングＯＰＣ（Ｏｐｔｉｍｕｍ  Ｐｏｗｅｒ  Ｃａｌｉｂｒａｔｉｏｎ）を行って得られた、前記記録エリア内の記録位置に応じてレーザパワーを補正制御するための制御情報を記録するための記録制御エリアと
を備えることを特徴とする情報記録媒体。


【手続補正２】
【補正対象書類名】特許請求の範囲
【補正対象項目名】請求項５
【補正方法】変更
【補正の内容】
【請求項５】レーザ光を照射して記録情報を記録するための記録エリアと、前記記録エリア内の記録位置に応じてレーザパワーを制御するための制御情報を記録するための記録制御エリアとを備える情報記録媒体にレーザ光を照射して記録情報を記録する記録手段と、
ランニングＯＰＣ（Ｏｐｔｉｍｕｍ  Ｐｏｗｅｒ  Ｃａｌｉｂｒａｔｉｏｎ）の結果に基づいて、前記情報記録媒体の前記記録制御エリアに記録される制御情報を補正する補正手段と、
前記情報記録媒体の前記記録制御エリアに記録される前記制御情報及び前記補正された制御情報の少なくとも一方に基づいて、レーザパワーを最適化する最適化手段と、
を備えることを特徴とする情報記録装置。


【手続補正３】
【補正対象書類名】特許請求の範囲
【補正対象項目名】請求項７
【補正方法】変更
【補正の内容】
【請求項７】情報記録媒体にレーザ光を照射し、当該情報記録媒体に記録情報を記録する第１記録手段と、
前記情報記録媒体の記録位置に応じた最適レーザパワーを求め、記録位置を表す情報と前記最適レーザパワーを表す情報とを対応付けた制御情報を作成する制御情報作成手段と、
ランニングＯＰＣ（Ｏｐｔｉｍｕｍ  Ｐｏｗｅｒ  Ｃａｌｉｂｒａｔｉｏｎ）の結果に基づいて、前記作成される制御情報を補正する補正手段と、
前記制御情報作成手段により作成される前記制御情報及び前記補正された制御情報の少なくとも一方を記録する第２記録手段と
を備え、
前記第２記録手段により記録される制御情報に基づいて、前記情報記録媒体に照射されるレーザ光のレーザパワーを制御する制御手段を有することを特徴とする情報記録装置。


【手続補正４】
【補正対象書類名】特許請求の範囲
【補正対象項目名】請求項１４
【補正方法】変更
【補正の内容】
【請求項１４】レーザ光を照射して記録情報を記録するための記録エリアと、前記記録エリア内の記録位置に応じてレーザパワーを制御するための制御情報を記録するための記録制御エリアとを備える情報記録媒体にレーザ光を照射して記録情報を記録する記録工程と、
ランニングＯＰＣ（Ｏｐｔｉｍｕｍ  Ｐｏｗｅｒ  Ｃａｌｉｂｒａｔｉｏｎ）の結果に基づいて、前記情報記録媒体の前記記録制御エリアに記録される制御情報を補正する補正工程と、
前記情報記録媒体の前記記録制御エリアに記録される前記制御情報及び前記補正された制御情報の少なくとも一方に基づいて、レーザパワーを最適化する最適化工程と、を備えることを特徴とする情報記録方法。


【手続補正５】
【補正対象書類名】特許請求の範囲
【補正対象項目名】請求項１５
【補正方法】変更
【補正の内容】
【請求項１５】情報記録媒体にレーザ光を照射し、当該情報記録媒体に記録情報を記録する第１記録工程と、
前記情報記録媒体の記録位置に応じた最適レーザパワーを求め、記録位置を表す情報と最適レーザパワー表す情報とを対応付けた制御情報を作成する制御情報作成工程と、
ランニングＯＰＣ（Ｏｐｔｉｍｕｍ  Ｐｏｗｅｒ  Ｃａｌｉｂｒａｔｉｏｎ）の結果に基づいて、前記作成される制御情報を補正する補正工程と、
前記制御情報作成工程において作成した前記制御情報及び前記補正された制御情報の少なくとも一方を記録する第２記録工程とを備え、
前記第２記録工程において記録される制御情報に基づいて、前記情報記録媒体に照射される前記レーザ光のパワーを制御する制御工程を有することを特徴とする情報記録方法。


【手続補正６】
【補正対象書類名】特許請求の範囲
【補正対象項目名】請求項２０
【補正方法】変更
【補正の内容】
【請求項２０】請求の範囲第５項に記載の情報記録装置に備えられたコンピュータを制御する記録制御用のコンピュータプログラムであって、該コンピュータを、前記記録手段、前記補正手段及び前記最適化手段のうち少なくとも一部として機能させることを特徴とするコンピュータプログラム。


【手続補正７】
【補正対象書類名】特許請求の範囲
【補正対象項目名】請求項２１
【補正方法】変更
【補正の内容】
【請求項２１】請求の範囲第７項に記載の情報記録装置に備えられたコンピュータを制御する記録制御用のコンピュータプログラムであって、該コンピュータを、前記記録手段、前記制御情報作成手段、前記補正手段、前記第２記録手段及び前記制御手段のうち少なくとも一部として機能させることを特徴とするコンピュータプログラム。




【手続補正書】
【提出日】平成18年4月3日(2006.4.3)
【手続補正１】
【補正対象書類名】特許請求の範囲
【補正対象項目名】全文
【補正方法】変更
【補正の内容】
【特許請求の範囲】
【請求項１】
レーザ光を照射して記録情報を記録するための記録エリアと、
ランニングＯＰＣ（Optimum Power Calibration）を行って得られた、前記記録エリア内の記録位置に応じてレーザパワーを制御するための制御情報を記録するための記録制御エリアと
を備えることを特徴とする情報記録媒体。
【請求項２】
前記制御情報は、前記記録エリア内の記録位置を示す情報と、当該記録位置における記録感度を表す情報とを対応付けたものであることを特徴とする請求項１に記載の情報記録媒体。
【請求項３】
前記制御情報は、前記記録エリア内の記録位置を示す情報と、当該記録位置における最適レーザパワーを表す情報とを対応付けたものであることを特徴とする請求項１に記載の情報記録媒体。
【請求項４】
前記制御情報は、前記記録エリア内の記録位置と、当該記録位置における最適レーザパワーとの相関関係を示すものであることを特徴とする請求項１に記載の情報記録媒体。
【請求項５】
レーザ光を照射して記録情報を記録するための記録エリアと、前記記録エリア内の記録位置に応じてレーザパワーを制御するための制御情報を記録するための記録制御エリアとを備える情報記録媒体にレーザ光を照射して記録情報を記録する記録手段と、
ランニングＯＰＣ（Optimum Power Calibration）の結果に基づいて、前記情報記録媒体の前記記録制御エリアに記録される制御情報を補正する補正手段と、
前記情報記録媒体の前記記録制御エリアに記録される前記制御情報及び前記補正された制御情報の少なくとも一方に基づいて、レーザパワーを最適化する最適化手段と、
を備えることを特徴とする情報記録装置。
【請求項６】
前記最適化手段は、前記記録制御エリアに記録される前記制御情報に基づいて、前記制御情報が存在しない記録位置における制御情報を概算することを特徴とする請求項５に記載の情報記録装置。
【請求項７】
情報記録媒体にレーザ光を照射し、当該情報記録媒体に記録情報を記録する第１記録手段と、
前記情報記録媒体の記録位置に応じた最適レーザパワーを求め、記録位置を表す情報と前記最適レーザパワーを表す情報とを対応付けた制御情報を作成する制御情報作成手段と、
ランニングＯＰＣ（Optimum Power Calibration）の結果に基づいて、前記作成される制御情報を補正する補正手段と、
前記制御情報作成手段により作成される前記制御情報及び前記補正される制御情報の少なくとも一方を記録する第２記録手段とを備え、
前記第２記録手段により記録される制御情報に基づいて、前記情報記録媒体に照射されるレーザ光のレーザパワーを制御する制御手段を有することを特徴とする情報記録装置。
【請求項８】
前記第２記録手段は、前記制御情報作成手段が作成した前記制御情報を、前記情報記録媒体に記録することを特徴とする請求項７に記載の情報記録装置。
【請求項９】
前記制御情報作成手段は、ランニングＯＰＣ（Optimum Power Calibration）を行って得られるレーザパワーの較正値に基づいて前記制御情報を作成することを特徴とする請求項７に記載の情報記録装置。
【請求項１０】
前記制御情報作成手段は、前記情報記録媒体の所定領域ごとに対応した前記制御情報を作成することを特徴とする請求項７に記載の情報記録装置。
【請求項１１】
前記制御情報作成手段は、前記情報記録媒体の記録線速度に対応した前記制御情報を作成することを特徴とする請求項７に記載の情報記録装置。
【請求項１２】
前記情報記録媒体は複数の記録層を備えており、
前記制御手段は、前記記録手段が情報記録を行う対象が、前記複数の記録層のうち一の記録層から他の記録層へ切り替わる場合において、当該一の記録層において求められた前記制御情報に基づき、当該他の記録層に照射する前記レーザパワーを制御することを特徴とする請求項７に記載の情報記録装置。
【請求項１３】
前記情報記録媒体は複数の記録層を備えており、
前記制御情報作成手段は、前記記録手段が情報記録を行う対象が、前記複数の記録層のうち一の記録層から他の記録層へ切り替わる場合において、当該一の記録層において求められた前記制御情報に基づき、当該他の記録層における前記制御情報を作成することを特徴とする請求項７に記載の情報記録装置。
【請求項１４】
レーザ光を照射して記録情報を記録するための記録エリアと、前記記録エリア内の記録位置に応じてレーザパワーを制御するための制御情報を記録するための記録制御エリアとを備える情報記録媒体にレーザ光を照射して記録情報を記録する記録工程と、
ランニングＯＰＣ（Optimum Power Calibration）の結果に基づいて、前記情報記録媒体の前記記録制御エリアに記録される制御情報を補正する補正工程と、
前記情報記録媒体の前記記録制御エリアに記録される前記制御情報及び前記補正された制御情報の少なくとも一方に基づいて、レーザパワーを最適化する最適化工程と、
を備えることを特徴とする情報記録方法。
【請求項１５】
情報記録媒体にレーザ光を照射し、当該情報記録媒体に記録情報を記録する第１記録工程と、
前記情報記録媒体の記録位置に応じた最適レーザパワーを求め、記録位置を表す情報と最適レーザパワー表す情報とを対応付けた制御情報を作成する制御情報作成工程と、
ランニングＯＰＣ（Optimum Power Calibration）の結果に基づいて、前記作成される制御情報を補正する補正工程と、
前記制御情報作成工程において作成した前記制御情報及び前記補正される制御情報の少なくとも一方を記録する第２記録工程とを備え、
前記第２記録工程において記録される制御情報に基づいて、前記情報記録媒体に照射される前記レーザ光のパワーを制御する制御工程を有することを特徴とする情報記録方法。
【請求項１６】
請求項５に記載の情報記録装置と、
前記情報記録媒体に記録された前記記録情報を再生する再生手段と
を備えることを特徴とする情報記録再生装置。
【請求項１７】
請求項７に記載の情報記録装置と、
前記情報記録媒体に記録された前記記録情報を再生する再生手段と
を備えることを特徴とする情報記録再生装置。
【請求項１８】
請求項１４に記載の情報記録方法と、
前記情報記録媒体に記録された前記記録情報を再生する再生工程と
を備えることを特徴とする情報記録再生方法。
【請求項１９】
請求項１５に記載の情報記録方法と、
前記情報記録媒体に記録された前記記録情報を再生する再生工程と
を備えることを特徴とする情報記録再生方法。
【請求項２０】
請求項５に記載の情報記録装置に備えられたコンピュータを制御する記録制御用のコンピュータプログラムであって、該コンピュータを、前記記録手段、前記補正手段及び前記最適化手段のうち少なくとも一部として機能させることを特徴とするコンピュータプログラム。
【請求項２１】
請求の範囲第７項に記載の情報記録装置に備えられたコンピュータを制御する記録制御用のコンピュータプログラムであって、該コンピュータを、前記記録手段、前記制御情報作成手段、前記補正手段、前記第２記録手段及び前記制御手段のうち少なくとも一部として機能させることを特徴とするコンピュータプログラム。
【請求項２２】
請求項１６に記載の情報記録再生装置に備えられたコンピュータを制御する記録再生制御用のコンピュータプログラムであって、該コンピュータを、前記情報記録装置及び前記再生手段のうち少なくとも一部として機能させることを特徴とするコンピュータプログラム。
【請求項２３】
請求項１７に記載の情報記録再生装置に備えられたコンピュータを制御する記録再生制御用のコンピュータプログラムであって、該コンピュータを、前記情報記録装置及び前記再生手段のうち少なくとも一部として機能させることを特徴とするコンピュータプログラム。
【国際調査報告】
2005034108.tif 000019
2005034108.tif 000020
2005034108.tif 000021